(57)【要約】【課題】本発明の料金機械は、管理者の負担を軽減しながら利用者の利便性を向上させることができる。【解決手段】本発明の料金機械は、二つの走行レーンに挟まれたアイランドＩ１上に設けられた料金機械であって、アイランドＩ１上に設けられた筐体１と、筐体１の一方の走行レーンに向く面に設けられ、少なくとも料金収受に係る投入物を受け入れ、または、料金収受に係る発行物を発行するための左側処理口を有する左側操作パネル２０、筐体１の他方の走行レーンに向く面に設けられ、少なくとも前記投入物を受け入れ、または、前記発行物を発行するための右側処理口を有する右側操作パネル３０と、を備える。【選択図】図２
2015127876.tif 000002
【特許請求の範囲】
【請求項１】
二つの走行レーンに挟まれたアイランド上に設けられた料金機械であって、
前記アイランド上に設けられた筐体と、
前記筐体の一方の走行レーンに向く面に設けられ、少なくとも料金収受に係る投入物を受け入れ、または、料金収受に係る発行物を発行するための左側処理口を有する左側操作パネルと、
前記筐体の他方の走行レーンに向く面に設けられ、少なくとも前記投入物を受け入れ、または、前記発行物を発行するための右側処理口を有する右側操作パネルと、を備える料金機械。
【請求項２】
前記左側操作パネル及び前記右側操作パネルに共通して設けられ、各操作パネルを作動させる電源と、
前記左側操作パネル及び前記右側操作パネルに共通して設けられ、前記電源から電力が供給されて料金所通行に関する制御処理を実施する主制御部と、を備える請求項１に記載の料金機械。
【請求項３】
前記左側処理口及び前記右側処理口で受け入れた前記投入物を処理する、または、前記発行物を発行するための処理をする処理部と、
前記左側処理口に接続され、前記投入物または前記発行物を搬送する左側搬送路と、
前記右側処理口に接続され、前記投入物または前記発行物を搬送する右側搬送路と、
前記左側搬送路と前記右側搬送路とを合流させて前記処理部に接続する合流接続部と、を備える請求項１または請求項２に記載の料金機械。
【請求項４】
前記合流接続部に配置され、前記処理部から発行された発行物を搬送する搬送先を前記左側処理口、または前記右側処理口のどちらかに切り替える切替部と、
利用者が利用している前記左側操作パネルまたは前記右側操作パネルに設けられた前記左側処理口または前記右側処理口に、前記発行物を搬送するよう前記切替部を切り替えさせる切替制御部と、を有する請求項３に記載の料金機械。
【請求項５】
前記左側処理口として、前記投入物が投入される投入用左側処理口及び前記発行物が発行される発行用左側処理口を有し、
前記右側処理口として、前記投入物が投入される投入用右側処理口及び前記発行物が発行される発行用右側処理口を有し、
前記投入用左側処理口及び前記投入用右側処理口のそれぞれで受け入れた前記投入物を検出する検出部を備え、
前記切替制御部は、前記投入用左側処理口または前記投入用右側処理口のうち、前記検出部によって前記投入物が検出された側に設けられた前記発行用左側処理口または前記発行用右側処理口に前記発行物を搬送するよう前記切替部を切り替えさせる請求項４に記載の料金機械。
【請求項６】
鉛直方向の位置が互いに異なるように設けられ、少なくとも料金収受に係る投入物を受け入れ、または、料金収受に係る発行物を発行するための第一処理ユニット及び第二処理ユニットを備え、
前記第一処理ユニットは、前記左側処理口を構成する第一左側処理口と、前記右側処理口を構成する第一右側処理口と、前記処理部を構成する第一処理部と、前記左側搬送路を構成する第一左側搬送路と、前記右側搬送路を構成する第一右側搬送路とを有し、
前記第二処理ユニットは、前記第一左側処理口または前記第一右側処理口と鉛直方向に異なる位置に設けられ、同様に少なくとも料金収受に係る投入物を受け入れ、または、料金収受に係る発行物を発行するための第二処理口と、
前記第二処理口で受け入れた前記投入物を処理する、または、前記発行物を発行するための処理をする第二処理部と、
前記第二処理口と前記第二処理部とに接続され、前記投入物または前記発行物を搬送する第二搬送路と、
該第二搬送路と、前記第一左側搬送路または前記第一右側搬送路とを合流させて前記第二処理部に接続する第二合流接続部と、を有する請求項３から請求項５のいずれか一項に記載の料金機械。
【請求項７】
前記第二合流接続部に配置され、前記第一左側処理口または前記第一右側処理口で受け入れた前記投入物を搬送する搬送先を前記第一処理部または前記第二処理部のどちらかに切り替える投入先切替部と、
前記第一左側処理口に前記投入物が投入され、かつ、前記第一右側処理口に前記投入物が投入される場合に、前記第一左側処理口または前記第一右側処理口のうち、前記第一処理部に前記投入物が搬送されていない一方から投入された前記投入物を、前記第二処理部に搬送するよう前記投入先切替部を切り替えさせる投入先制御部と、を有する請求項６に記載の料金機械。
【請求項８】
前記第二合流接続部に配置され、前記第一右側処理口または前記第一左側処理口のいずれか一方と、前記第二処理口のどちらかに前記第二処理部から発行された前記発行物を搬送する搬送先を切り替える発行先切替部と、
前記第一左側処理口に前記発行物を発行し、かつ、前記第一右側処理口に前記発行物を発行する場合に、前記第二処理部に前記発行物を発行させるとともに、前記発行物を前記第一左側処理口または前記第一右側処理口のうち、前記第一処理部から前記発行物が搬送されていない一方に搬送するよう前記発行先切替部を切り替えさせる発行先制御部と、を有する請求項６または請求項７に記載の料金機械。
【発明の詳細な説明】
【技術分野】
【０００１】
本発明は、料金機械に関する。
【背景技術】
【０００２】
有料道路等の料金所や駐車場の出入口には料金を自動的に収受するための料金自動収受機が設置されている。このような料金自動収受機は、料金収受員を不要とし、車両の運転手等の利用者から現金やカードによる料金の支払いを受け付け、さらに必要に応じて釣銭の払い出しや領収書の発行などを自動で行う。
【０００３】
このような料金自動収受機が、例えば特許文献１に開示されている。この料金自動収受機は、有料道路の出口料金所内に設置されている。料金自動収受機は、筐体の走行レーンに面した前面に支払媒体が投入される投入口や操作面カメラ等を有する前面パネル部を備えている。このような料金自動収受機は、操作面カメラによって撮影した料金自動収受機の前面の映像に基づいて、利用者の状況を確認して利用者に対して適切なサービスを行う。
【先行技術文献】
【特許文献】
【０００４】
【特許文献１】特開２０１１−１５４７２５号公報
【発明の概要】
【発明が解決しようとする課題】
【０００５】
ところで、このような料金自動収受機や発券機等の料金機械は、一方の面に利用者が操作する前面パネル部が配置されている。特に、日本において使用されている料金機械は、右ハンドルの車両に搭乗した利用者に対応して、右ハンドルの車両の運転席に面して前面パネル部が配置されている。そのため、左ハンドルの車両が料金所を通過するために料金自動収受機を操作しようとしても、運転席からは利用者の手が届かないため車両を降りて料金機械を操作する必要があるなど、利便性が悪く利用者が操作する上で負担となっている。
一方で、利用者の負担を軽減しようとすると、左ハンドルの車両のために専用の料金自動収受機を設置するなどの対策が必要となり、設置コストの増加など管理者の負担が増大してしまう。
【０００６】
本発明は、上記課題を解決するためになされたものであって、管理者の負担を軽減しながら利用者の利便性を向上させることが可能な料金機械を提供することを目的とする。
【課題を解決するための手段】
【０００７】
上記課題を解決するために、本発明は以下の手段を提案している。
本発明の第一の態様における料金機械は、二つの走行レーンに挟まれたアイランド上に設けられた料金機械であって、前記アイランド上に設けられた筐体と、前記筐体の一方の走行レーンに向く面に設けられ、少なくとも料金収受に係る投入物を受け入れ、または、料金収受に係る発行物を発行するための左側処理口を有する左側操作パネルと、前記筐体の他方の走行レーンに向く面に設けられ、少なくとも前記投入物を受け入れ、または、前記発行物を発行するための右側処理口を有する右側操作パネルと、を備える。
【０００８】
このような構成の料金機械によれば、アイランドの左側に位置する一方の走行レーン上を通行する車両に搭乗する利用者は、自身の右側に位置する筐体において、当該一方の走行レーンを向く面に設けられた左側操作パネルを利用することができる。また、アイランドの右側に位置する他方の走行レーン上を通行する車両に搭乗する利用者は、自身の左側に位置する筐体において、当該他方の走行レーンを向く面に設けられた右側操作パネルを利用することができる。すなわち、当該料金機械では、一方の走行レーンを通行する右ハンドルの車両に搭乗する利用者により対応する操作パネルを利用可能としつつ、他方の走行レーンを通行する左ハンドルの車両に搭乗する利用者により対応する操作パネルを利用可能とすることができる。このため、同一アイランド上において、一方の走行レーン用に右ハンドルの車両対応の料金機械を設けつつ、他方の走行レーン用に左ハンドルの車両対応の料金機械を別途設けたり、新たに有人ブースを設置するなどの対策をしたりする必要がなくなる。したがって、右ハンドルの車両に搭乗する利用者であっても左ハンドルの車両に搭乗する利用者であっても、料金自動収受機を容易に利用することが可能でありながら、新たな左ハンドル専用の料金自動収受機の設置コストを省略できる。これにより、管理者の負担を軽減しながら利便性を向上させることができる。
【０００９】
また、本発明の他の態様における料金機械は、前記左側操作パネル及び前記右側操作パネルに共通して設けられ、各操作パネルを作動させる電源と、前記左側操作パネル及び前記右側操作パネルに共通して設けられ、前記電源から電力が供給されて料金所通行に関する制御処理を実施する主制御部と、を備えていてもよい。
【００１０】
このような構成の料金機械によれば、一つの筐体の左側操作パネルと右側操作パネルに対して、電源や主制御部を共通とすることで、電源や主制御部を設置するコストを低減できる。これにより、左側操作パネル及び右側操作パネルの利便性を低下させずに、設置費用の低減を図ることができる。
【００１１】
さらに、本発明の他の態様における料金機械は、前記左側処理口及び前記右側処理口で受け入れた前記投入物を処理する、または、前記発行物を発行するための処理をする処理部と、前記左側処理口に接続され、前記投入物または前記発行物を搬送する左側搬送路と、前記右側処理口に接続され、前記投入物または前記発行物を搬送する右側搬送路と、前記左側搬送路と前記右側搬送路とを合流させて前記処理部に接続する合流接続部と、を備えていてもよい。
【００１２】
このような構成の料金機械によれば、左側操作パネルの左側処理口と右側操作パネルの右側処理口とから別々に投入される投入物または発行される発行物であっても、同じ処理が必要な投入物または発行物を一つの処理部で処理できる。したがって、筐体内で同じ処理をする処理部をまとめることができ、設置コストをより低減して、管理者の負担を軽減できる。
【００１３】
また、本発明の他の態様における料金機械は、前記合流接続部に配置され、前記処理部から発行された発行物を搬送する搬送先を前記左側処理口、または前記右側処理口のどちらかに切り替える切替部と、利用者が利用している前記左側操作パネルまたは前記右側操作パネルに設けられた前記左側処理口または前記右側処理口に、前記発行物を搬送するよう前記切替部を切り替えさせる切替制御部と、を有していてもよい。
【００１４】
このような構成の料金機械によれば、左側処理口及び右側処理口のいずれかから発行物を発行する場合も、処理部で発行物を発行するための処理を行いつつ、搬送された発行物の搬送先を、合流接続部に配置された切替部によって切り替えることで左側処理口または右側処理口のいずれかの所望の処理口に発行することができる。すなわち、発行物の発行処理を一つの処理部で行いつつ、利用者が利用している側に発行物を発行することができる。これにより、処理部をまとめて設置コストを低減しながら、利用する際の利便性をより向上させることもできる。
【００１５】
さらに、本発明の他の態様における料金機械は、前記左側処理口として、前記投入物が投入される投入用左側処理口及び前記発行物が発行される発行用左側処理口を有し、前記右側処理口として、前記投入物が投入される投入用右側処理口及び前記発行物が発行される発行用右側処理口を有し、前記投入用左側処理口及び前記投入用右側処理口のそれぞれで受け入れた前記投入物を検出する検出部を備え、前記切替制御部は、前記投入用左側処理口または前記投入用右側処理口のうち、前記検出部によって前記投入物が検出された側に設けられた前記発行用左側処理口または前記発行用右側処理口に前記発行物を搬送するよう前記切替部を切り替えさせてもよい。
【００１６】
このような構成の料金機械によれば、検出部による検出結果により、投入用左側処理口及び投入用右側処理口のいずれかから投入物を受け入れたかを検出することができる。そして、検出結果に基づいて、切替制御部により切替部を切り替えることで、投入物を受け入れた側となる発行用左側処理口または発行用右側処理口と処理部とを接続することができる。これにより、左右いずれの側で投入物が投入されたとしても、同一の処理部で発行物の発行処理を行いつつ、投入物を受け入れた側で発行物を発行することができる。
【００１７】
さらに、本発明の他の態様における料金機械は、鉛直方向の位置が互いに異なるように設けられ、少なくとも料金収受に係る投入物を受け入れ、または、料金収受に係る発行物を発行するための第一処理ユニット及び第二処理ユニットを備え、前記第一処理ユニットは、前記左側処理口を構成する第一左側処理口と、前記右側処理口を構成する第一右側処理口と、前記処理部を構成する第一処理部と、前記左側搬送路を構成する第一左側搬送路と、前記右側搬送路を構成する第一右側搬送路とを有し、前記第二処理ユニットは、前記第一左側処理口または前記第一右側処理口と鉛直方向に異なる位置に設けられ、同様に少なくとも料金収受に係る投入物を受け入れ、または、料金収受に係る発行物を発行するための第二処理口と、前記第二処理口で受け入れた前記投入物を処理する、または、前記発行物を発行するための処理をする第二処理部と、前記第二処理口と前記第二処理部とに接続され、前記投入物または前記発行物を搬送する第二搬送路と、該第二搬送路と、前記第一左側搬送路または前記第一右側搬送路とを合流させて前記第二処理部に接続する第二合流接続部と、を有していてもよい。
【００１８】
このような構成の料金機械によれば、第一処理ユニットと第二処理ユニットとが配置されているため、第一左側処理口または第一右側処理口で受け入れる投入物または、発行される発行物を、鉛直方向に位置の異なる第二処理部で処理することができる。そのため、第二合流接続部を形成するスペースを大きく確保することができる。したがって、搬送される投入物や発行物に負荷をかけずに、確実に搬送することできる。
【００１９】
また、本発明の他の態様における料金機械は、前記第二合流接続部に配置され、前記第一左側処理口または前記第一右側処理口で受け入れた前記投入物を搬送する搬送先を前記第一処理部または前記第二処理部のどちらかに切り替える投入先切替部と、前記第一左側処理口に前記投入物が投入され、かつ、前記第一右側処理口に前記投入物が投入される場合に、前記第一左側処理口または前記第一右側処理口のうち、前記第一処理部に前記投入物が搬送されていない一方から投入された前記投入物を、前記第二処理部に搬送するよう前記投入先切替部を切り替えさせる投入先制御部と、を有していてもよい。
【００２０】
このような構成の料金機械によれば、第一左側処理口及び第一右側処理口の両方に投入物が投入された場合に、第一左側処理口または第一右側処理口で受け入れた投入物の搬送先を、第二処理部に切り替えることができる。即ち、左側操作パネルと右側操作パネルとが同時に操作される場合であっても、利用者を待たせることなく投入物を処理することができる。これにより、必要に応じて第一処理部と第二処理部を使用することができ、利便性をより一層向上させることができる。
【００２１】
さらに、本発明の他の態様における料金機械は、前記第二合流接続部に配置され、前記第一右側処理口または前記第一左側処理口のいずれか一方と、前記第二処理口のどちらかに前記第二処理部から発行された前記発行物を搬送する搬送先を切り替える発行先切替部と、前記第一左側処理口に前記発行物を発行し、かつ、前記第一右側処理口に前記発行物を発行する場合に、前記第二処理部に前記発行物を発行させるとともに、前記発行物を前記第一左側処理口または前記第一右側処理口のうち、前記第一処理部から前記発行物が搬送されていない一方に搬送するよう前記発行先切替部を切り替えさせる発行先制御部と、を有していてもよい。
【００２２】
このような構成の料金機械によれば、第一左側処理口及び第一右側処理口の両方に発行物を発行する場合に、第一左側処理口または第一右側処理口のうち第一処理部から発行物が発行されていない側の一方に対して、発行先制御部から指示を受けた発行先切替部によって、第二処理部から発行物を発行するように切り替えることができる。即ち、左側操作パネルと右側操作パネルとが同時に操作される場合であっても、利用者を待たせることなく発行物を発行することができる。これにより、必要に応じて第一処理部と第二処理部を使用することができ、利便性をより一層向上させることができる。
【発明の効果】
【００２３】
本発明の料金機械によれば、一台の筐体の両側の走行レーンから料金機械を操作することができ、管理者の負担を軽減しながら利用者の利便性を向上させることができる。
【図面の簡単な説明】
【００２４】
【図１】本発明における料金機械が設置されている様子を示す模式図である。
【図２】本発明の第一実施形態における料金機械を示す模式図である。
【図３】本発明の第二実施形態における料金機械を示す模式図である。
【図４】本発明の第三実施形態における料金機械を示す模式図である。
【発明を実施するための形態】
【００２５】
《第一実施形態》
以下、本発明に係る第一実施形態について図１及び図２を参照して説明する。
図１に示すように、第一本実施形態の料金機械は、有料道路の料金所等に設置されている料金自動収受機１００である。この料金自動収受機１００は、二つの隣接する走行レーンＬに挟まれたアイランドＩ１上に設けられている。
【００２６】
アイランドＩ１は、車両Ｃが通行する走行レーンＬから段差を介して路面よりも１段高い島形状に形成されている。本実施形態ではアイランドＩ１を中心として、車両Ｃの進行方向に向かって左側である一方の走行レーンＬを第一走行レーンＬ１、車両Ｃの進行方向に向かって右側である他方の走行レーンＬを第二走行レーンＬ２とする。
第一走行レーンＬ１及び第二走行レーンＬ２は、本実施形態では、通行する車両Ｃを同じ方向に向かって進行させる。第一走行レーンＬ１及び第二走行レーンＬ２には、出口料金所内に進入する車両Ｃを検知する車種判別装置Ｘと、出口料金所内から発進する車両Ｃを検知する発進検知器Ｙと、出口料金所内からの車両Ｃの発進を抑制する発進制御機Ｈとが設置されている。
【００２７】
料金自動収受機１００は、図２に示すように、第一走行レーンＬ１及び第二走行レーンＬ２のそれぞれと、アイランドＩとの境界から建築限界として定められる所定の間隔だけ離間した位置に配置されている。そして、第一走行レーンＬ１及び第二走行レーンＬ２上を通行する車両Ｃが料金自動収受機１００と対面する位置で境界に幅寄せして停車され、当該車両Ｃに搭乗した利用者によって料金自動収受機１００が操作されることで、貨幣の収受等の料金収受に関する処理を無人で行うことが可能となっている。料金自動収受機１００は、料金自動収受機１００の外装である筐体１と、筐体１に設けられて利用者によって操作される操作パネル２と、筐体１の内部で料金収受に関する処理を行う搬送処理機構４と、搬送処理機構４や操作パネル２を作動させるための電力を供給する電源部７と、電源部から電力が供給されて料金所通行に関する制御処理を実施する主制御部９とを備えている。
【００２８】
なお、本実施形態では料金自動収受機１００が設置されているアイランドＩ１に対して第二走行レーンＬ２を挟んで対向し、最も右側に位置するアイランドＩ２上には、第二走行レーンＬ２に面する一方の面のみに操作パネル２が設けられている料金自動収受機１０ａが配置されている。即ち、アイランドＩ２上には、本願発明の料金自動収受機１００とは異なって、右ハンドルの車両を運転する運転手が使用する料金自動収受機１０ａが配置されている。
同様に、料金自動収受機１００が設置されているアイランドＩ１に対して第一走行レーンＬ１を挟んで対向し、最も左側に位置するアイランドＩ３上には、第一走行レーンＬ１に面する他方の面のみに操作パネル２が設けられている料金自動収受機１０ｂが配置されている。即ち、アイランドＩ３上には、本願発明の料金自動収受機１００とは異なって、左ハンドルの車両を運転する運転手が使用する料金自動収受機１０ｂが配置されている。
【００２９】
筐体１は、鉛直方向の上下方向に延びる直方状をなしており、第一走行レーンＬ１及び第二走行レーンＬ２の幅方向に面するようアイランドＩ１上に配置されている。筐体１は、第一走行レーンＬ１の幅方向を向いて鉛直方向に延びる面を左面１ａ、第二走行レーンＬ２の幅方向を向いて鉛直方向に延びる面を右面１ｂとしている。ここでいう筐体１の左面１ａは、第一走行レーンＬ１を通行する車両Ｃの進行方向の右側面に対向する面である。同様に、筐体１の右面１ｂは、第二走行レーンＬ２を通行する車両Ｃの進行方向の左側面に対向する面である。筐体１は、その右面１ｂ及び左面１ａがアイランドＩ１の幅方向の端部から建築限界として法律で定められた所定の間隔として、例えば、２５０ｍｍ以上を内側になるよう配置されている。
【００３０】
操作パネル２は、走行レーンＬ上を通行する車両Ｃに搭乗した運転手等の利用者が、料金自動収受機１００を利用する際に操作する操作端末である。操作パネル２は、筐体１の左面１ａに設けられる左側操作パネル２０と、筐体１の右面１ｂに設けられる右側操作パネル３０とを有している。本実施形態の操作パネル２は、利用者によって操作された操作結果に対応する情報を操作情報として主制御部９に出力する。
【００３１】
左側操作パネル２０は、第一走行レーンＬ１を通行する右ハンドルの車両Ｃを運転する利用者によって利用されるよう筐体１の左面１ａに配置されている。本実施形態の左側操作パネル２０は、通行する車両Ｃの車高に応じて利用し易いように筐体１の左面１ａの鉛直方向に並んで上段と下段とが設けられている。上段及び下段の共通の構成として、左側操作パネル２０は、料金自動収受機１００に対して料金収受に係る投入物として金銭や通行券等を受け入れ、または料金収受に係る発行物として領収書等を発行するための複数の左側処理口２１を有している。本実施形態の左側操作パネル２０は、左側処理口２１に不図示のセンサが設けられており、利用者によって操作された操作結果に対応する情報を操作情報として主制御部９に出力する。
【００３２】
左側操作パネル２０は、左側処理口２１として、投入物が投入される投入用左側処理口及び発行物が発行される発行用左側処理口を有する。具体的には、左側操作パネル２０は、左側処理口２１の投入用左側処理口及び発行用左側処理口を兼ねる構成として、紙幣が挿入され、または返却する紙幣が排出される左側紙幣挿入口と、クレジットカード等が挿入される左側カード挿入口とを有している。左側操作パネル２０は、左側処理口２１の投入用左側処理口として、通行券が挿入される左側通行券挿入口２１ａと、硬貨が投入される左側硬貨投入口２１ｃと、を有している。左側操作パネル２０は、左側処理口２１の発行用左側処理口として、領収書が排出される左側領収書発行口２１ｂと、硬貨が払い出される左側釣銭返却口２１ｄと、を有している。
【００３３】
なお、本実施形態における紙幣挿入口は、左側操作パネル２０及び右側操作パネル３０ともに、投入用の処理口及び発行用の処理口を兼ねて紙幣を挿入する処理口と返却する処理口とが一体に設けられているが、この構造に限定されるものではない。例えば、投入用の処理口として紙幣が挿入される紙幣挿入口と、発行用の処理口として紙幣が返却される紙幣返却口とのように、別々の処理口として設けられていてもよい。
【００３４】
また、左側操作パネル２０は、料金を表示する左側料金表示部２３を有している。左側操作パネル２０は、領収書の発行指示を受け付ける左側領収書発行ボタン２２と、異常時等に収受員を呼び出す左側収受員呼び出しボタンと、遠隔地の監視員や収受員と通話するための左側インターホンとを有している。
さらに、下段のみの構成として、左側操作パネル２０は、上肢の不自由な身体障害者である場合に、係員に支援を求めるための入力動作が可能な左側身障者レバーと、身体障害者に対する割引が適用される資格を有することを示す証明書を監視員や収受員に提示する左側証明書カメラとを有している。
【００３５】
本実施形態では、左側処理口２１として、左側通行券挿入口２１ａ、左側領収書発行口２１ｂ、左側硬貨投入口２１ｃ、及び左側釣銭返却口２１ｄを例に挙げて説明する。
【００３６】
左側通行券挿入口２１ａは、硬貨以外の投入物である通行券が第一走行レーンＬ１上を通行する車両Ｃの運転手等の利用者によって挿入される開口部である。左側通行券挿入口２１ａは、筐体１の左面１ａにおいて矩形スリット状をなして開口して形成されている。
【００３７】
左側領収書発行口２１ｂは、第一走行レーンＬ１上を通行する車両Ｃの利用者に対して領収書が発行される開口部である。左側領収書発行口２１ｂは、筐体１の左面１ａにおいて左側通行券挿入口２１ａよりも薄い矩形スリット状をなして開口して形成されている。
【００３８】
左側硬貨投入口２１ｃは、筐体１の左面１ａから矩形状に開口して形成されている。左側硬貨投入口２１ｃには、第一走行レーンＬ１上を通行する車両Ｃの利用者から投入される複数の硬貨の受け取りを可能とするよう筐体１の左面１ａから突出する籠状の硬貨受皿が配置されている。
【００３９】
左側釣銭返却口２１ｄは、筐体１の左面１ａから矩形状に窪んで形成されている。左側釣銭返却口２１ｄは、左側硬貨投入口２１ｃと対応していることが第一走行レーンＬ１上を通行する車両Ｃの利用者にわかるよう左側硬貨投入口２１ｃの鉛直方向下方に並んで配置されている。
【００４０】
右側操作パネル３０は、第二走行レーンＬ２を通行する左ハンドルの車両Ｃに搭乗する利用者のような特定の利用者によって利用されるよう筐体１の右面１ｂに配置されている。本実施形態の右側操作パネル３０は、日本において左ハンドルの車両Ｃがほとんど普通乗用車であるため、左側操作パネル２０の下段側に対応して設けられている。右側操作パネル３０は、料金自動収受機１００に対して料金収受に係る投入物として金銭や通行券等を受け入れ、または料金収受に係る発行物として通行券や領収書等を発行するための複数の右側処理口３１を有している。本実施形態の右側操作パネル３０は、右側処理口３１に不図示のセンサが設けられており、利用者によって操作された操作結果に対応する情報を操作情報として主制御部９に出力する。
【００４１】
右側処理口３１は、利用者が筐体１の右面１ｂに対向して操作しようとした場合に、利用者に対して左側操作パネル２０の左側処理口２１と同じ位置に配置されている。なお、右側処理口３１は、左側処理口２１と同様の形状・構成となっている。
【００４２】
右側操作パネル３０は、右側処理口３１として、投入物が投入される投入用右側処理口及び発行物が発行される発行用右側処理口を有する。具体的には、右側操作パネル３０は、右側処理口３１の投入用右側処理口及び発行用右側処理口を兼ねる構成として、紙幣が挿入され、または返却する紙幣が排出される右側紙幣挿入口と、クレジットカード等を挿入する右側カード挿入口とを有している。右側操作パネル３０は、右側処理口３１の投入用右側処理口として、通行券が挿入される右側通行券挿入口３１ａと、硬貨が投入される右側硬貨投入口３１ｃと、を有している。右側操作パネル３０は、右側処理口３１の発行用右側処理口として、領収書を外方に送り出す右側領収書発行口３１ｂと、硬貨が払い出される右側釣銭返却口３１ｄと、を有している。
【００４３】
また、右側操作パネル３０は、料金を表示する右側料金表示部３３を有している。右側操作パネル３０は、領収書の発行指示を受け付ける右側領収書発行ボタン３２と、異常時等に収受員を呼び出す右側収受員呼び出しボタンと、遠隔地の監視員や収受員と通話するための右側インターホンとを有している。右側操作パネル３０は、利用者が身体障害者である場合に使用する右側身障者レバーと、身体障害者に対する割引が適用される資格を有することを示す証明書を監視員や収受員に提示する左側証明書カメラとを有している。
【００４４】
本実施形態では、右側処理口３１として、右側通行券挿入口３１ａ、右側領収書発行口３１ｂ、右側硬貨投入口３１ｃ、及び右側釣銭返却口３１ｄを例に挙げて説明する。
【００４５】
右側通行券挿入口３１ａは、硬貨以外の投入物である通行券が第二走行レーンＬ２上を通行する車両Ｃの利用者によって挿入される開口部である。右側通行券挿入口３１ａは、筐体１の右面１ｂにおいて矩形スリット状をなして開口して形成されている。
【００４６】
右側領収書発行口３１ｂは、第二走行レーンＬ２上を通行する車両Ｃの利用者に対して領収書が発行される開口部である。右側領収書発行口３１ｂは、筐体１の右面１ｂにおいて右側通行券挿入口３１ａよりも薄い矩形スリット状をなして開口して形成されている。
【００４７】
右側硬貨投入口３１ｃは、筐体１の右面１ｂから矩形状に開口して形成されている。右側硬貨投入口３１ｃには、第二走行レーンＬ２上を通行する車両Ｃの利用者から投入される複数の硬貨の受け取りを可能とするよう筐体１の右面１ｂから突出する籠状の硬貨受皿が配置されている。
【００４８】
右側釣銭返却口３１ｄは、筐体１の右面１ｂから矩形状に窪んで形成されている。右側釣銭返却口３１ｄは、右側硬貨投入口３１ｃと対応していることが第二走行レーンＬ２上を通行する車両Ｃの利用者にわかるよう右側硬貨投入口３１ｃの鉛直方向下方に並んで配置されている。
【００４９】
搬送処理機構４は、左側操作パネル２０にて行われた操作、または、右側操作パネル３０にて行われた操作に基づいて、主制御部９からの情報を受けて筐体１の内部で料金収受に関する処理を行う。本実施形態では、搬送処理機構４は、左側操作パネル２０と右側操作パネル３０とに対して、それぞれ別々に設けられている。本実施形態おける料金自動収受機１００の搬送処理機構４は、投入された投入物を処理する投入搬送処理機構４１と、発行物を発行するための処理をする発行搬送処理機構４２と、投入された投入物を処理し、かつ、発行物を発行するための処理をする往復搬送処理機構４３とを有している。また、各搬送処理機構４は、左側操作パネル２０または右側操作パネル３０に対してそれぞれ処理を行う処理部５と、左側処理口２１または右側処理口３１と各処理部５との間で投入物や発行物を搬送する搬送路６とを有している。
【００５０】
処理部５は、主制御部９からの情報を受けて左側処理口２１が受け入れた投入物を処理する、または、左側処理口２１に発行物を発行するための処理をする左側処理部５ａを有している。また、処理部５は、主制御部９からの情報を受けて右側処理口３１が受け入れた投入物を処理する、または、右側処理口３１に発行物を発行するための処理をする右側処理部５ｂを有している。
搬送路６は、左側操作パネル２０の左側処理口２１に接続され、左側処理部５ａまで投入物や発行物を搬送する左側搬送路６ａと、右側操作パネル３０の右側処理口３１に接続され、右側処理部５ｂまで投入物や発行物を搬送する右側搬送路６ｂとを有している。
【００５１】
以下、第一実施形態における各搬送処理機構４の構成の一部を例に挙げて説明するが、第一実施形態では、左側操作パネル２０の左側処理口２１に接続される左側搬送路６ａ及び左側処理部５ａと、右側操作パネル３０の右側処理口３１に接続される右側搬送路６ｂ及び右側処理部５ｂとは、配置以外の構成は同じである。
【００５２】
第一実施形態における受け入れた投入物を処理する投入搬送処理機構４１は、通行券が挿入される左側通行券挿入口２１ａに対応する左側通行券処理部５１及び左側通行券搬送路６１ａと、右側通行券挿入口３１ａに対応する右側通行券処理部５２及び右側通行券搬送路６１ｂと有している。
【００５３】
左側通行券処理部５１は、第一走行レーンＬ１上を通行する車両Ｃに搭乗する利用者によって、左側通行券挿入口２１ａに挿入される通行券を処理する左側処理部５ａである。左側通行券処理部５１は、挿入された通行券から磁気情報を読み取る磁気ヘッド部５１ａと、磁気ヘッド部５１ａで読み取った磁気情報を主制御部９に出力する通行券制御部５１ｂと、入場情報を読み取った後の通行券を回収する回収箱５１ｃと、を有している。左側通行券処理部５１は、筐体１の内部において、左側通行券挿入口２１ａに対して鉛直方向に僅かに下がった位置である概水平方向に並んで配置されている。
【００５４】
左側通行券搬送路６１ａは、左側通行券挿入口２１ａから挿入された通行券を水平方向に沿って筐体１の内部に引き込むように移動させて、左側通行券処理部５１まで搬送する左側搬送路６ａである。具体的には、左側通行券搬送路６１ａは、左側通行券挿入口２１ａに接続され、左側通行券処理部５１の回収箱５１ｃまで繋がっている。左側通行券搬送路６１ａは、途中に磁気ヘッド部５１ａを配置している。左側通行券搬送路６１ａは、内部に通行券が挿通可能なように矩形環状に形成されて、水平方向に延びている。本実施形態における左側通行券搬送路６１ａは、例えば、図示しないモータ等によって一方向に向かって回転する搬送ローラによって通行券を挟み込んで、内部に引き込むように搬送する。
【００５５】
右側通行券処理部５２は、第二走行レーンＬ２上を通行する車両Ｃに搭乗する利用者によって挿入される通行券を処理する右側処理部５ｂである。右側通行券処理部５２は、左側通行券処理部５１と同じ磁気ヘッド部５１ａと、通行券制御部５１ｂと、回収箱５１ｃとを有している。右側通行券処理部５２は、筐体１の内部において、右側通行券挿入口３１ａに対して鉛直方向に僅かに下がった位置である概水平方向に並んで配置されている。右側通行券処理部５２は、左側通行券処理部５１とは独立しており、左側通行券処理部５１に対して水平方向の第二走行レーンＬ２側に並んで配置されている。
【００５６】
右側通行券搬送路６１ｂは、右側通行券挿入口３１ａから挿入された通行券を水平方向に沿って筐体１の内部に引き込むように移動させて、右側通行券処理部５２まで搬送する右側搬送路６ｂである。具体的には、右側通行券搬送路６１ｂは、右側通行券挿入口３１ａに接続され、右側通行券処理部５２の回収箱５１ｃまで繋がっている。右側通行券搬送路６１ｂは、途中に磁気ヘッド部５１ａを配置している。右側通行券搬送路６１ｂは、内部に通行券が挿通可能なように矩形環状に形成されて、水平方向に延びている。本実施形態における右側通行券搬送路６１ｂは、左側通行券搬送路６１ａと同様の構成をしている。
【００５７】
また、第一実施形態における発行物を発行するための処理をする発行搬送処理機構４２は、領収書を外方に送り出す左側領収書発行口２１ｂに対応する左側領収書発行処理部５３及び左側領収書搬送路６２ａと、右側領収書発行口３１ｂに対応する右側領収書発行処理部５４及び右側領収書搬送路６２ｂとを有している。
【００５８】
左側領収書発行処理部５３は、第一走行レーンＬ１上を通行する車両Ｃに搭乗する利用者によって左側領収書発行ボタン２２が操作されることにより情報が入力された主制御部９からの指示を受けて、利用者に対して領収書を発行する左側処理部５ａである。左側領収書発行処理部５３は、筐体１の内部において、左側領収書発行口２１ｂに対して水平方向に並んで配置されている。本実施形態における左側領収書発行処理部５３は、例えば、内部に印字用の感熱紙を有している。左側領収書発行処理部５３は、この感熱紙を図示しないモータ等によって回転する搬送ローラによって送り出すと共に、印字ヘッドによって一方の面に必要な情報を印字して領収書を作成する。
【００５９】
左側領収書搬送路６２ａは、左側領収書発行処理部５３から発行された領収書を水平方向に沿って第一走行レーンＬ１側の外部に押し出すように移動させて、左側領収書発行口２１ｂまで搬送する左側搬送路６ａである。左側領収書搬送路６２ａは、左側領収書発行口２１ｂに接続され、左側領収書発行処理部５３まで繋がっている。左側領収書搬送路６２ａは、内部に領収書が挿通可能なように矩形スリット状に形成されて、水平方向に延びている。本実施形態における左側領収書搬送路６２ａは、例えば、図示しないモータ等によって回転する搬送ローラによって領収書を挟み込んで、外部に押し出すように搬送する。
【００６０】
右側領収書発行処理部５４は、第二走行レーンＬ２上を通行する車両Ｃに搭乗する利用者によって右側領収書発行ボタン３２が操作されることにより情報が入力された主制御部９からの指示を受けて、利用者に対して領収書を発行する右側処理部５ｂである。右側領収書発行処理部５４は、筐体１の内部において、右側領収書発行口３１ｂに対して水平方向に並んで配置されている。右側領収書発行処理部５４は、左側領収書発行処理部５３とは独立しており、筐体１の内部において左側領収書発行処理部５３に対して水平方向の第二走行レーンＬ２側に並んで配置されている。本実施形態における右側領収書発行処理部５４は、左側領収書発行処理部５３と同様の構成をしている。
【００６１】
右側領収書搬送路６２ｂは、右側領収書発行処理部５４から発行された領収書を水平方向に沿って第二走行レーンＬ２側の外部に押し出すように移動させて、右側領収書発行口３１ｂまで搬送する右側搬送路６ｂである。右側領収書搬送路６２ｂは、右側領収書発行口３１ｂに接続され、右側領収書発行処理部５４まで繋がっている。右側領収書搬送路６２ｂは、内部に領収書が挿通可能なように矩形スリット状に形成されて、水平方向に延びている。本実施形態における右側領収書搬送路６２ｂは、左側領収書搬送路６２ａと同様の構成をしている。
【００６２】
また、第一実施形態における受け入れた投入物を処理し、かつ、発行物を発行するための処理をする往復搬送処理機構４３は、利用者が硬貨の投入を行う左側硬貨投入口２１ｃ及び利用者が硬貨の受け取りを行う左側釣銭返却口２１ｄに対応する左側硬貨処理部５５と、左側硬貨投入路６３ａと、左側釣銭案内路６４ａとを有している。同様に、往復搬送処理機構４３は、右側硬貨投入口３１ｃ及び右側釣銭返却口３１ｄに対応する右側硬貨処理部５６と、右側硬貨投入路６３ｂと、右側釣銭案内路６４ｂとを有している。
【００６３】
左側硬貨処理部５５は、第一走行レーンＬ１上を通行する車両Ｃに搭乗する利用者によって、左側硬貨投入口２１ｃに投入される硬貨を処理する左側処理部５ａである。具体的には、左側硬貨処理部５５は、異なる金種の硬貨を分類して回収するともに、必要な金額の釣銭を払い出す。左側硬貨処理部５５は、筐体１の内部において、左側硬貨投入口２１ｃよりも鉛直方向下方に配置されている。
【００６４】
左側硬貨投入路６３ａは、左側硬貨投入口２１ｃから左側硬貨処理部５５まで鉛直方向下方に向かって接続され、管状に形成された左側搬送路６ａである。左側硬貨投入路６３ａは、左側硬貨投入口２１ｃから投入された硬貨を内部で自然落下させることで左側硬貨処理部５５まで搬送している。
左側釣銭案内路６４ａは、左側硬貨処理部５５から左側釣銭返却口２１ｄまで鉛直方向下方に向かって接続され、管状に形成された左側搬送路６ａである。左側釣銭案内路６４ａは、左側硬貨処理部５５から払い出された硬貨を内部で自然落下させることで左側釣銭返却口２１ｄまで搬送している。
【００６５】
右側硬貨処理部５６は、第二走行レーンＬ２上を通行する車両Ｃに搭乗する利用者によって、右側硬貨投入口３１ｃに投入される硬貨を処理する右側処理部５ｂである。具体的には、右側硬貨処理部５６は、異なる金種の硬貨を分類して回収するともに、必要な金額の釣銭を払い出す。右側硬貨処理部５６は、筐体１の内部において、右側硬貨投入口３１ｃよりも鉛直方向下方に配置されている。右側硬貨処理部５６は、左側硬貨処理部５５とは独立しており、筐体１の内部において左側硬貨処理部５５に対して水平方向の第二走行レーンＬ２側に並んで配置されている。
【００６６】
右側硬貨投入路６３ｂは、右側硬貨投入口３１ｃから右側硬貨処理部５６まで鉛直方向下方に向かって接続され、管状に形成された右側搬送路６ｂである。右側硬貨投入路６３ｂは、右側硬貨投入口３１ｃから投入された硬貨を内部で自然落下させることで右側硬貨処理部５６まで搬送している。
右側釣銭案内路６４ｂは、右側硬貨処理部５６から右側釣銭返却口３１ｄまで鉛直方向下方に向かって接続され、管状に形成された右側搬送路６ｂである。右側釣銭案内路６４ｂは、右側硬貨処理部５６から払い出された硬貨を内部で自然落下させることで右側釣銭返却口３１ｄまで搬送している。
【００６７】
電源部７は、料金自動収受機１００の電力を必要とする各種装置に電力を供給する共通の電源である。具体的には、電源部７は、左側通行券処理部５１、右側通行券処理部５２、左側領収書発行処理部５３、右側領収書発行処理部５４、左側硬貨処理部５５、右側硬貨処理部５６に電力を供給させて作動させる。また、電源部７は、左側操作パネル２０及び右側操作パネル３０にも電力を供給して作動させる。より具体的には、電源部７は、左側操作パネル２０及び右側操作パネル３０に電力を供給し、左側料金表示部２３や右側料金表示部３３を表示させるための電力や、左側領収書発行ボタン２２及び右側領収書発行ボタン３２等の操作装置を駆動させるための電力を供給している。また、電源部７は、料金自動収受機１００の主制御部９にも電力を供給している。電源部７は、筐体１の内部において鉛直方向下方の底部分に配置されている。
【００６８】
主制御部９は、電源部７から電力が供給されて料金所通行の料金収受に関する制御処理を実施する。主制御部９は、料金自動収受機１００において利用者によって操作パネル２が操作された操作情報が入力され、この操作情報に基づいて、処理部５に料金収受に関する処理を行わせる制御処理を実施する。ここでいう料金所通行の料金収受に関する制御処理とは、各処理部５において実施される紙幣や硬貨の収受、釣銭の払出、通行券の読み取り、領収書の発行、収受員の呼び出し等である。
【００６９】
本実施形態の主制御部９は、例えば、利用者によって操作された左側操作パネル２０または右側操作パネル３０の操作結果である操作情報や車種判別装置Ｘ等から入力される車両情報等のその他の情報に基づいて、料金所の通行料金の算出等の精算処理や貨幣の収受等の課金処理を実施している。
【００７０】
具体的には、主制御部９は、利用者が通行券を挿入した場合には、通行券が挿入された左側通行券挿入口２１ａまたは右側通行券挿入口３１ａに設けられた不図示のセンサから通行券が挿入されたことを検出したとの情報が入力される。情報を受けた主制御部９は、利用者が操作した操作パネル２と対応する側の左側通行券処理部５１または右側通行券処理部５２の通行券制御部５１ｂに対して磁気ヘッド部５１ａによって読み取った通行券の磁気情報を出力するよう指示を送る。通行券制御部５１ｂから出力された磁気情報を受けた主制御部９は、この通行券に記憶された入場情報を取得する。主制御部９は、この入場情報や車種判別装置Ｘ等から入力される車両情報等に基づいて、利用者が料金所を通行するための車種や通行距離に応じた精算料金を算出する。主制御部９は算出した精算料金を左側料金表示部２３または右側料金表示部３３の利用者が通行券を挿入した側の操作パネル２と対応する側に表示させる。
【００７１】
また、主制御部９は、利用者が領収書の発行を希望して左側操作パネル２０または右側操作パネル３０を操作した場合には、左側領収書発行ボタン２２または右側領収書発行ボタン３２が操作されることにより情報が入力される。情報を受けた主制御部９は、左側領収書発行処理部５３または右側領収書発行処理部５４の利用者が操作した操作パネル２と対応する側に領収書を発行するよう指示を送る。
【００７２】
さらに、主制御部９は、左側料金表示部２３または右側料金表示部３３に表示した精算料金に応じて利用者から投入される貨幣の課金処理を行う。この貨幣の課金処理は、例えば、左側硬貨投入口２１ｃや右側硬貨投入口３１ｃに投入される硬貨や左側紙幣挿入口や右側紙幣挿入口に挿入される紙幣によって料金を徴収する場合と、左側カード挿入口や右側カード挿入口に挿入されるクレジットカード等によって料金を徴収する場合とがある。
【００７３】
本実施形態では、投入される硬貨によって料金を徴収する場合を例に挙げて説明する。
主制御部９は、利用者が硬貨を投入した場合には、硬貨が投入された左側硬貨投入口２１ｃまたは右側硬貨投入口３１ｃに設けられた不図示のセンサから硬貨が挿入されたことを検出したとの情報が入力される。情報を受けた主制御部９は、利用者が操作した操作パネル２と対応する側の左側硬貨処理部５５または右側硬貨処理部５６に対して異なる金種の硬貨を分類して回収して計数するように指示を送る。左側硬貨処理部５５または右側硬貨処理部５６から計数した硬貨の情報を受けた主制御部９は、この情報を投入金額として左側料金表示部２３または右側料金表示部３３の利用者が硬貨を投入した側の操作パネル２と対応する側に表示させる。そして、主制御部９は、精算料金と投入金額とを比較し、釣銭が必要な場合には、左側硬貨処理部５５または右側硬貨処理部５６に対して必要な金額の釣銭を払い出すよう指示を送る、
【００７４】
次に、上記構成の第一実施形態の料金機械である料金自動収受機１００の作用について説明する。
上記のような第一実施形態の料金自動収受機１００においては、第一走行レーンＬ１上を通行する右ハンドルの車両Ｃが筐体１の左面１ａ側の前方に停車し、車両Ｃの運転手等の利用者により、車両Ｃの車種に応じて筐体１の左側操作パネル２０の左側通行券挿入口２１ａに通行券が挿入される。挿入された通行券は、左側通行券搬送路６１ａを介して左側通行券処理部５１に搬送される。通行券が挿入されると左側通行券挿入口２１ａの不図示のセンサによって通行券が検出され、主制御部９に情報が送られる。左側通行券処理部５１や主制御部９には、電源部７から電力が供給されている。主制御部９は、左側通行券処理部５１に対して通行券の読み取り処理を行うよう指示を送る。そのため、左側通行券処理部５１は、通行券が挿入されると、磁気ヘッド部５１ａにて、その通行券の磁気情報を読み取る。左側通行券処理部５１は、読み取った磁気情報を主制御部９に情報として送る。そして、左側通行券処理部５１は、磁気情報を読み取った通行券を回収箱５１ｃにて回収する。主制御部９では、送られた磁気情報に基づき、車種、通行距離に応じた料金を計算して、左側料金表示部２３に情報を送る。左側料金表示部２３にも、電源部７から電力が供給されている。そのため、左側料金表示部２３は、主制御部９で算出した料金を表示させる。
【００７５】
そして、利用者は、この左側料金表示部２３の料金表示に従って、左側硬貨投入口２１ｃ及び左側紙幣挿入口に金銭を投入する。投入された金銭が硬貨の場合、左側硬貨投入口２１ｃから投入された硬貨は、左側硬貨投入路６３ａを滑り落ちるように落下して、左側硬貨処理部５５に搬送される。硬貨が投入されると左側硬貨投入口２１ｃの不図示のセンサによって硬貨が検出され、主制御部９に情報が送られる。左側硬貨処理部５５や主制御部９には、電源部７から電力が供給されている。主制御部９は、左側硬貨処理部５５に対して投入された硬貨の計数を行うよう指示を送る。そのため、左側硬貨処理部５５は、投入された硬貨を計数した情報を主制御部９に送る、主制御部９では、送られた情報に基づき、投入金額として左側料金表示部２３に情報を送る。また、主制御部９は、投入金額と先の精算料金との差額に基づき、釣銭がある場合には、その釣銭を払い出すよう左側硬貨処理部５５に指示を出す。左側硬貨処理部５５から払い出された釣銭は、左側釣銭案内路６４ａを滑り落ちるように落下し、左側釣銭返却口２１ｄから利用者に返却される。
【００７６】
また、左側操作パネル２０や左側領収書発行処理部５３にも電源部７から電力が供給されている。そのため、利用者が領収書の発行を要求し、左側領収書発行ボタン２２が押されると、主制御部９に情報が入力される。そして、主制御部９は、左側領収書発行処理部５３に対して領収書を発行するよう指示を送る。その後、領収書が左側領収書発行処理部５３から左側領収書搬送路６２ａを介して左側領収書発行口２１ｂに発行される。
【００７７】
同様に、第二走行レーンＬ２上を通行する左ハンドルの車両Ｃが、筐体１の右面１ｂの前方に停車し、車両Ｃの運転手等の利用者により、車両Ｃの筐体１の右側操作パネル３０の右側通行券挿入口３１ａに通行券が挿入される。右側通行券挿入口３１ａに通行券が挿入されることで、料金自動収受機１００内では、左側操作パネル２０から挿入された場合と同様の動作が行われる。
【００７８】
具体的には、挿入された通行券は、右側通行券搬送路６１ｂを介して右側通行券処理部５２に搬送される。通行券が挿入されると右側通行券挿入口３１ａの不図示のセンサによって通行券が検出され、主制御部９に情報が送られる。右側通行券処理部５２には、電源部７から電力が供給されている。主制御部９は、右側通行券挿入口３１ａに対して通行券の読み取り処理を行うよう指示を送る。そのため、右側通行券処理部５２は、通行券が挿入されると、磁気ヘッド部５１ａにて、その通行券の磁気情報を読み取る。右側通行券処理部５２は、読み取った磁気情報を主制御部９に送る。そして、右側通行券処理部５２は、磁気情報を読み取った通行券を回収箱５１ｃにて回収する。主制御部９では、送られた磁気情報に基づき、車種、通行距離に応じた料金を計算して、右側料金表示部３３に情報を送る。右側料金表示部３３にも、電源部７から電力が供給されている。そのため、右側料金表示部３３は、主制御部９で算出した料金を表示させる。
【００７９】
そして、利用者は、この右側料金表示部３３の料金表示に従って、右側硬貨投入口３１ｃ及び右側紙幣挿入口に金銭を投入する。投入された金銭が硬貨の場合、右側硬貨投入口３１ｃから投入された硬貨は、右側硬貨投入路６３ｂを滑り落ちるように落下して、右側硬貨処理部５６に搬送される。硬貨が投入されると右側硬貨投入口３１ｃの不図示のセンサによって硬貨が検出され、主制御部９に情報が送られる。右側硬貨処理部５６や主制御部９には、電源部７から電力が供給されている。主制御部９は、右側硬貨処理部５６に対して投入された硬貨の計数を行うよう指示を送る。そのため、右側硬貨処理部５６は、投入された硬貨を計数した情報を主制御部９に送る、主制御部９では、送られた情報に基づき、投入金額として右側料金表示部３３に情報を送る。また、主制御部９は、投入金額と先の精算料金との差額に基づき、釣銭がある場合には、その釣銭を払い出すよう右側硬貨処理部５６に指示を出す。右側硬貨処理部５６から払い出された釣銭は、右側釣銭案内路６４ｂを滑り落ちるように落下し、右側釣銭返却口３１ｄから利用者に返却される。
【００８０】
また、右側操作パネル３０や右側領収書発行処理部５４にも電源部７から電力が供給されている。そのため、利用者が領収書の発行を要求し、右側領収書発行ボタン３２が押されると、主制御部９に情報が入力される。そして、主制御部９は、右側領収書発行処理部５４に対して領収書を発行するよう指示を送る。その後、領収書が右側領収書発行処理部５４から右側領収書搬送路６２ｂを介して右側領収書発行口３１ｂに発行される。
【００８１】
上記のような料金機械である料金自動収受機１００によれば、アイランドＩ１の左側に位置する第一走行レーンＬ１を通行する右ハンドルの車両Ｃに搭乗する利用者は、自身の右側に位置する筐体１において、第一走行レーンＬ１を向く左面１ａに設けられた左側操作パネル２０を利用することができる。また、アイランドＩ１の右側に位置する第二走行レーンＬ２を通行する左ハンドルの車両Ｃに搭乗する利用者は、自身の左側に位置する筐体１において、第二走行レーンＬ２を向く右面１ｂに設けられた右側操作パネル３０を利用することができる。なお、第一走行レーンＬ１を通行する左ハンドルの車両Ｃに搭乗する利用者は、自身の左側に位置する料金自動収受機１０ｂにおいて、右側操作パネル３０を利用することができ、第二走行レーンＬ２を通行する右ハンドルの車両Ｃに搭乗する利用者は、自身の右側に位置する料金自動収受機１０ａにおいて、左側操作パネル２０を利用することができる。そのため、第一走行レーンＬ１及び第二走行レーンＬ２の二つの走行レーンＬ上を通行する車両Ｃの筐体１に面した位置に搭乗する利用者が、一台の筐体１によって、同じ環境で料金自動収受機１００を使用することができる。すなわち、料金自動収受機１００では、第一走行レーンＬ１を通行する右ハンドルの車両Ｃに搭乗する利用者により対応する操作パネル２である左側操作パネル２０を利用可能としつつ、第二走行レーンＬ２を通行する左ハンドルの車両Ｃに搭乗する利用者により対応する右側操作パネル３０を利用可能とすることができる。このため、同一アイランドＩ１上において、第一走行レーンＬ１用に右ハンドルの車両Ｃに対応する料金自動収受機を設けつつ、第二走行レーンＬ２用に左ハンドルの車両Ｃに対応する料金自動収受機を別途設けたり、新たに有人ブースを設置するなどの対策をしたりする必要がなくなる。したがって、右ハンドルの車両Ｃに搭乗する利用者であっても左ハンドルの車両Ｃに搭乗する利用者であっても、料金自動収受機１００を容易に利用することが可能でありながら、新たな左ハンドル専用の料金自動収受機の設置コストを省略できる。これにより、管理者の負担を軽減しながら利便性を向上させることができる。
【００８２】
また、一つの筐体１の左側操作パネル２０と右側操作パネル３０に対し電力を供給する電源部７と、料金収受に関する制御処理として各処理部５の制御処理を実施する主制御部９とを共通とすることで、電源部７や主制御部９を設置するコストを低減できる。特に、右側操作パネル３０は左ハンドルの車両Ｃに搭乗する利用者が利用することが多く、利用者数が少ないため、電力があまり消費されない。そのため、左側操作パネル２０及び右側操作パネル３０を共通の電源としても、左側操作パネル２０及び右側操作パネル３０を操作するために支障をきたすことがない。同様に、主制御部９も右側操作パネル３０に対応する右側処理部５ｂに対して制御処理を行う頻度がすくない。そのため、左側処理部５ａ及び右側処理部５ｂを共通化しても、処理速度の低下等の支障をきたすことがない。これにより、左側操作パネル２０及び右側操作パネル３０の利便性を低下させずに、設置費用の低減を図ることができる。
【００８３】
なお、電源部７は、処理部５や操作パネル２のみに電力を供給することに限定されるものではない。即ち、料金自動収受機１００において、筐体１の左面１ａに設けられた左側操作パネル２０と、右面１ｂに設けられた右側操作パネル３０とが利用者によって操作された場合に、利用者に対して料金収受に関する処理を行う際に必要な電力を供給している。例えば、搬送路６が、コンベア等によって駆動している場合、必要な電力を電源部７から供給する構造としてもよい。そのほか、左側処理口２１や右側処理口３１に不図示のセンサ等が設けられている場合、これらのセンサを作動させるための電力を電源部７から供給してもよい。
【００８４】
また、主制御部９は、本実施形態のように料金所通行に関する制御処理として各処理部５を制御処理することで、課金金額の算出等の料金収受に関する制御処理に限定されるものではない。即ち、主制御部９は、料金所通行に関する制御処理として料金自動収受機１００において利用者が料金所を通行するために実施される制御処理であればよい。例えば、主制御部９は、料金所通行に関する制御処理として、発進制御機Ｈのバーを開放及び閉塞させるような制御処理してもよい。
【００８５】
《第二実施形態》
次に、図３を参照して第二実施形態の料金機械である料金自動収受機２００について説明する。
第二実施形態においては第一実施形態と同様の構成要素には同一の符号を付して詳細な説明を省略する。この第二実施形態の料金自動収受機２００は、処理部５が左側操作パネル２０と右側操作パネル３０とで共通化されている点で、第一実施形態と相違する。
【００８６】
即ち、第二実施形態の料金機械である料金自動収受機２００は、図３に示すように、左側操作パネル２０及び右側操作パネル３０にて行われた操作に基づいて、筐体１の内部で料金収受に関する処理を行う第一搬送処理機構４００を備える。
また、料金自動収受機２００は、第一実施形態と同様の料金所通行に関する制御処理を行う主制御部９及び電源部７を備えている。なお、電源部７については、第二実施形態においては図示を省略している。
【００８７】
さらに、本実施形態の料金自動収受機２００は、左側操作パネル２０の左側処理口２１または右側操作パネル３０の右側処理口３１に投入される投入物である通行券や硬貨を検出する検出部Ｓ１０を備えている。
検出部Ｓ１０は、通行券や硬貨等の投入物を検出するセンサを有しており、検出結果を後述する第一搬送処理機構４００の切替制御部１２に出力する。
具体的には、本実施形態では検出部Ｓ１０として、例えば、左側通行券挿入口２１ａに設けられた左側通行券検出部Ｓ１０１と、右側通行券挿入口３１ａに設けられた右側通行券検出部Ｓ１０２と、左側硬貨投入口２１ｃに設けられた左側硬貨検出部Ｓ１０３と、右側硬貨投入口３１ｃに設けられた右側硬貨検出部Ｓ１０４と、を有している。
【００８８】
第一搬送処理機構４００は、左側操作パネル２０及び右側操作パネル３０に対して共通して設けられている。第一搬送処理機構４００は、投入された投入物を処理する第一投入搬送処理機構４１０と、発行物を発行するための処理をする第一発行搬送処理機構４２０と、投入された投入物を処理し、かつ、発行物を発行するための処理をする第一往復搬送処理機構４３０とを有している。また各第一搬送処理機構４００は、第一実施形態における処理部５の代わりに、右側処理口３１及び左側処理口２１に対してまとめて処理をする第一処理部５０と、左側搬送路６ａと右側搬送路６ｂとを合流させて第一処理部５０に接続する合流接続部８とを有している。また、第一搬送処理機構４００は、第一発行搬送処理機構４２０または第一往復搬送処理機構４３０のように、発行物を発行するための処理をする場合には、発行物を搬送する搬送先を切り替える切替部１１と、切替部１１に切り替える指示を送る切替制御部１２とを有している。
【００８９】
第一処理部５０は、左側処理口２１及び右側処理口３１から投入された投入物をまとめて処理する、または、左側処理口２１及び右側処理口３１へ発行物をまとめて発行するための処理をする。
合流接続部８は、左側搬送路６ａと右側搬送路６ｂとを合流させて、左側処理口２１及び右側処理口３１から投入された投入物をまとめて第一処理部５０に搬送し、または、第一処理部５０から発行される発行物を左側処理口２１及び右側処理口３１へ搬送する。
【００９０】
切替部１１は、左側処理口２１または右側処理口３１のどちらに第一処理部５０から発行する発行物を搬送するか搬送先を切り替える。切替部１１は、合流接続部８に配置される。切替部１１は、切替制御部１２からの情報を受けることで、左側搬送路６ａまたは右側搬送路６ｂのどちらか一方に、第一処理部５０から発行された発行物を案内する。
【００９１】
切替制御部１２は、利用者が利用している左側操作パネル２０または右側操作パネル３０に設けられた左側処理口２１または右側処理口３１に、発行物を搬送するよう切替部１１を切り替える指示を送る。本実施形態の切替制御部１２は、左側処理口２１または右側処理口３１に設けられた検出部Ｓ１０によって投入物を検出した側に発行物を搬送するよう切替部１１を切り替えさせる。即ち、切替制御部１２は、検出部Ｓ１０からの投入物を検出した情報を一度記憶する不図示の記憶部を有しており、記憶部が記憶した情報に基づいて発行物の発行先を切り替えるよう切替部１１に指示を送る。
【００９２】
具体的には、通行券の場合、切替制御部１２は、左側通行券挿入口２１ａに設けられた左側通行券検出部Ｓ１０１または右側通行券挿入口３１ａに設けられた右側通行券検出部Ｓ１０２から通行券を検出したと情報が入力される。情報を受けた切替制御部１２は、不図示の記憶部にこの情報を記憶させる。切替制御部１２は、記憶部に記憶した情報に基づいて、左側通行券検出部Ｓ１０１または右側通行券検出部Ｓ１０２のうち、情報を入力してきた側を利用者が利用していると判断して、発行物の搬送先を左側処理口２１と右側処理口３１のいずれにするか判断する。そして、切替制御部１２は、判断結果に基づいて、切替部１１に左側搬送路６ａと右側搬送路６ｂのどちらに発行物を案内するか切り替える情報を出力して指示を送る。
【００９３】
第二実施形態における投入された投入物を処理する第一投入搬送処理機構４１０は、左側通行券挿入口２１ａ及び右側通行券挿入口３１ａから挿入される通行券を処理する第一通行券処理部５１０と、左側通行券搬送路６１ａと右側通行券搬送路６１ｂとを合流させる第一通行券合流接続部８１とを有している。
【００９４】
第一通行券処理部５１０は、第一走行レーンＬ１上を通行する車両Ｃに搭乗する利用者によって、左側通行券挿入口２１ａに挿入される通行券、または、第二走行レーンＬ２上を通行する車両Ｃに搭乗する利用者によって、右側通行券挿入口３１ａに挿入される通行券を処理する。第一通行券処理部５１０は、第一実施形態の左側通行券処理部５１または右側通行券処理部５２と同様に、左側通行券挿入口２１ａ及び右側通行券挿入口３１ａに挿入された通行券の磁気情報を読み取る第一磁気ヘッド部５１０ａを有している。第一通行券処理部５１０は、第一磁気ヘッド部５１０ａにて読み取った磁気情報を主制御部９に出力する第一通行券制御部５１０ｂを有している。第一通行券処理部５１０は、入場情報を読み取った後の通行券を回収する第一回収箱５１０ｃを有している。
【００９５】
第一磁気ヘッド部５１０ａは、一定の方向に搬送される通行券から磁気情報を読み取る。本実施形態における第一磁気ヘッド部５１０ａは、左側処理口２１から挿入された場合（図３における左側通行券挿入口２１ａ側から右側通行券挿入口３１ａ側に向かう方向に通行券が搬送された場合）に磁気情報を読み取る。
第一通行券制御部５１０ｂは、第二実施形態の左側通行券挿入口２１ａの左側通行券検出部Ｓ１０１及び右側通行券挿入口３１ａの右側通行券検出部Ｓ１０２のセンサによって、通行券が挿入されたことが検知されると、このセンサから情報が入力される。第一通行券制御部５１０ｂは、入力された情報に基づいて、左側通行券挿入口２１ａまたは右側通行券挿入口３１ａのうち通行券が挿入された側を判定している。
第一回収箱５１０ｃは、第一磁気ヘッド部５１０ａによって磁気情報の読み取りが終わった通行券を溜めておく箱状部材である。
【００９６】
第一通行券合流接続部８１は、左側通行券搬送路６１ａと右側通行券搬送路６１ｂとを合流させて第一通行券処理部５１０に通行券を搬送する。第一通行券合流接続部８１は、左側通行券搬送路６１ａと右側通行券搬送路６１ｂとを接続する第一通行券合流接続本体路８１ａと、第一通行券合流接続本体路８１ａと第一回収箱５１０ｃとを接続する通行券回収搬送路８１ｂと、第一通行券合流接続本体路８１ａに接続されて右側通行券搬送路６１ｂから搬送されてきた通行券を退避させる位置に搬送する通行券退避搬送路８１ｃと、を有している。第一通行券合流接続部８１は、第一通行券合流接続本体路８１ａと通行券回収搬送路８１ｂとの接続部分に配置されて通行券を通行券回収搬送路８１ｂに案内する右側通行券案内部８１ｄと、第一通行券合流接続本体路８１ａと通行券退避搬送路８１ｃとの接続部分に配置されて通行券を通行券退避搬送路８１ｃに案内する左側通行券案内部８１ｅと、を有している。
【００９７】
第一通行券合流接続本体路８１ａは、左側通行券搬送路６１ａと右側通行券搬送路６１ｂとを水平に接続する。第一通行券合流接続本体路８１ａは、途中に第一磁気ヘッド部５１０ａが配置されている。本実施形態における第一通行券合流接続本体路８１ａは、左側通行券搬送路６１ａと同様の構成としている。
【００９８】
通行券回収搬送路８１ｂは、第一通行券合流接続本体路８１ａから鉛直方向下方に右側通行券挿入口３１ａ側に向かって分岐して第一回収箱５１０ｃまで接続する搬送路６である。通行券回収搬送路８１ｂは、第一磁気ヘッド部５１０ａよりも右側搬送路６ｂ側に配置され、第一通行券合流接続本体路８１ａを左側通行券挿入口２１ａ側から右側通行券挿入口３１ａ側に向かって搬送される通行券を鉛直方向下方に搬送して回収している。本実施形態における通行券回収搬送路８１ｂは、左側通行券搬送路６１ａと同様の構成としており、第一回収箱５１０ｃに向かって通行券を搬送している。
【００９９】
通行券退避搬送路８１ｃは、第一通行券合流接続本体路８１ａから鉛直方向下方に左側通行券挿入口２１ａ側に向かって分岐して通行券を第一通行券合流接続本体路８１ａから退避させる位置まで搬送する。通行券退避搬送路８１ｃは、第一磁気ヘッド部５１０ａよりも左側搬送路６ａ側に配置され、第一通行券合流接続本体路８１ａを右側通行券挿入口３１ａ側から左側通行券挿入口２１ａ側に向かって搬送される通行券を、鉛直方向下方に搬送して、第一通行券合流接続本体路８１ａ上から退避させている。本実施形態における通行券退避搬送路８１ｃは、左側通行券搬送路６１ａと異なり、搬送ローラの回転方向を切り替え可能な構造とされている。
【０１００】
右側通行券案内部８１ｄは、第一通行券合流接続本体路８１ａを左側通行券挿入口２１ａ側から右側通行券挿入口３１ａ側に向かって搬送される通行券を通行券回収搬送路８１ｂに案内する。右側通行券案内部８１ｄは、右側搬送路６ｂから第一通行券合流接続本体路８１ａに進入する通行券を遮ることなく左側通行券挿入口２１ａ側に向かって案内する。右側通行券案内部８１ｄは、第一通行券合流接続本体路８１ａと通行券回収搬送路８１ｂとの接続部分に配置される。具体的には、右側通行券案内部８１ｄは、第一通行券合流接続本体路８１ａまたは通行券回収搬送路８１ｂのいずれか一方を遮る右側遮蔽部８１１ｄと、右側遮蔽部８１１ｄを回転させて位置を変更する右側遮蔽回転部８１２ｄとを有している。
【０１０１】
右側遮蔽部８１１ｄは、右側遮蔽回転部８１２ｄを中心として回転可能に接続される板材である。
右側遮蔽回転部８１２ｄは、第一通行券合流接続本体路８１ａと通行券回収搬送路８１ｂとの分岐点に配置されている。右側遮蔽回転部８１２ｄは、右側遮蔽部８１１ｄを端部で回転可能に支持する回転軸である。右側遮蔽回転部８１２ｄは、第一通行券合流接続本体路８１ａを遮蔽する位置に右側遮蔽部８１１ｄを配置している。右側遮蔽回転部８１２ｄは、右側通行券挿入口３１ａ側から左側通行券挿入口２１ａ側に向かって通行券が第一通行券合流接続本体路８１ａに進入する場合に、通行券によって右側遮蔽部８１１ｄが右側通行券挿入口３１ａ側から左側通行券挿入口２１ａ側に向かって押されることで、右側遮蔽部８１１ｄを回転させる。そして、通行券が通過して右側遮蔽部８１１ｄが押されなくなると、第一通行券合流接続本体路８１ａを遮蔽する位置に右側遮蔽部８１１ｄを戻す。一方、右側遮蔽回転部８１２ｄは、左側通行券挿入口２１ａ側から右側通行券挿入口３１ａ側に向かって通行券が第一通行券合流接続本体路８１ａを搬送される場合には、通行券によって右側遮蔽部８１１ｄが左側通行券挿入口２１ａ側から右側通行券挿入口３１ａ側に向かって押されても、右側遮蔽部８１１ｄを回転させない。
【０１０２】
左側通行券案内部８１ｅは、第一通行券合流接続本体路８１ａを右側通行券挿入口３１ａ側から左側通行券挿入口２１ａ側に向かって搬送される通行券を通行券退避搬送路８１ｃに案内する。左側通行券案内部８１ｅは、左側搬送路６ａから第一通行券合流接続本体路８１ａに進入する通行券を遮ることなく右側通行券挿入口３１ａ側に向かって案内する。左側通行券案内部８１ｅは、第一通行券合流接続本体路８１ａと通行券退避搬送路８１ｃとの接続部分に配置される。具体的には、左側通行券案内部８１ｅは、第一通行券合流接続本体路８１ａまたは通行券退避搬送路８１ｃのいずれか一方を遮る左側遮蔽部８１１ｅと、左側遮蔽部８１１ｅを回転させて位置を変更する左側遮蔽回転部８１２ｅとを有している。
【０１０３】
左側遮蔽部８１１ｅは、左側遮蔽回転部８１２ｅを中心として回転可能に接続される板材である。
左側遮蔽回転部８１２ｅは、第一通行券合流接続本体路８１ａと通行券退避搬送路８１ｃとの分岐点に配置されている。左側遮蔽回転部８１２ｅは、左側遮蔽部８１１ｅの端部で接続され、回転可能に支持する回転軸である。左側遮蔽回転部８１２ｅは、第一通行券合流接続本体路８１ａを遮蔽する位置に左側遮蔽部８１１ｅを配置している。左側遮蔽回転部８１２ｅは、左側通行券挿入口２１ａ側から右側通行券挿入口３１ａ側に向かって通行券が第一通行券合流接続本体路８１ａに進入する場合に、通行券によって左側遮蔽部８１１ｅが左側通行券挿入口２１ａ側から右側通行券挿入口３１ａ側に向かって押されることで、左側遮蔽部８１１ｅを回転させて通行券退避搬送路８１ｃを遮蔽する位置に移動させる。そして、通行券が通過して左側遮蔽部８１１ｅが押されなくなると、第一通行券合流接続本体路８１ａを遮蔽する位置に左側遮蔽部８１１ｅを戻す。一方、左側遮蔽回転部８１２ｅは、右側通行券挿入口３１ａ側から左側通行券挿入口２１ａ側に向かって通行券が第一通行券合流接続本体路８１ａを搬送される場合には、通行券によって左側遮蔽部８１１ｅが右側通行券挿入口３１ａ側から左側通行券挿入口２１ａ側に向かって押されても、左側遮蔽部８１１ｅを回転させない。
【０１０４】
また、第二実施形態における発行物を発行するための処理をする第一発行搬送処理機構４２０は、左側領収書発行口２１ｂ及び右側領収書発行口３１ｂに領収書を発行する処理をする第一領収書発行処理部５３０と、左側領収書搬送路６２ａと右側領収書搬送路６２ｂとを合流させる第一領収書合流接続部８２と、を有している。また同様に、第一発行搬送処理機構４２０は、第一領収書発行処理部５３０に対応する構成として、左側領収書発行口２１ｂ、または右側領収書発行口３１ｂのどちらに領収書を搬送するか搬送先を切り替える領収書切替部１１０と、領収書切替部１１０に切り替えるよう指示を送る領収書切替制御部１２０と有している。
【０１０５】
第一領収書発行処理部５３０は、第一走行レーンＬ１上を通行する車両Ｃに搭乗する利用者に対して左側領収書発行口２１ｂから領収書を発行する、または、第二走行レーンＬ２上を通行する車両Ｃに搭乗する利用者に対して右側領収書発行口３１ｂから領収書を発行する処理する。第一領収書発行処理部５３０は、左側領収書発行ボタン２２または右側領収書発行ボタン３２が操作されることにより情報が入力され、利用者に対して領収書を発行する。本実施形態における第一領収書発行処理部５３０は、左側領収書発行処理部５３と同様の構成をしている。
【０１０６】
第一領収書合流接続部８２は、左側領収書搬送路６２ａと右側領収書搬送路６２ｂとを合流させて第一領収書発行処理部５３０から発行される領収書を搬送する。第一領収書合流接続部８２は、左側領収書搬送路６２ａと第一領収書発行処理部５３０とを接続する第一領収書合流接続本体路８２ａと、第一領収書合流接続本体路８２ａから分岐して右側領収書搬送路６２ｂに接続される第一領収書合流接続分岐路８２ｂとを有している。
【０１０７】
第一領収書合流接続本体路８２ａは、左側領収書搬送路６２ａと第一領収書発行処理部５３０とを水平に接続する。本実施形態における第一領収書合流接続部８２は、左側領収書搬送路６２ａと同様に、第一領収書発行処理部５３０から領収書を押し出すように搬送する。
第一領収書合流接続分岐路８２ｂは、第一領収書合流接続本体路８２ａから鉛直方向上方に分岐して、右側領収書搬送路６２ｂに接続される。第一領収書合流接続分岐路８２ｂは、筐体１の内部において第一領収書合流接続本体路８２ａから第一領収書発行処理部５３０の周りを鉛直方向上方に向かって大きく迂回するように形成されている。本実施形態における第一領収書合流接続分岐路８２ｂは、左側領収書搬送路６２ａと同様の構成となっており、右側領収書搬送路６２ｂに向かって領収書を搬送する。
【０１０８】
領収書切替部１１０は、第一領収書発行処理部５３０から発行された領収書を、左側領収書発行口２１ｂまたは右側領収書発行口３１ｂのどちらに搬送するか搬送先を切り替えている。領収書切替部１１０は、第一領収書合流接続部８２の第一領収書合流接続本体路８２ａと第一領収書合流接続分岐路８２ｂとの接続部分に配置されている。具体的には、領収書切替部１１０は、第一領収書合流接続本体路８２ａまたは第一領収書合流接続分岐路８２ｂのいずれか一方を遮る領収書遮蔽部１１０ａと、領収書遮蔽部１１０ａを領収書切替制御部１２０からの情報に基づいて回転させて位置を変更する領収書遮蔽回転部１１０ｂとを有している。
【０１０９】
領収書遮蔽部１１０ａは、領収書遮蔽回転部１１０ｂを中心として回転可能に接続される板材である。
領収書遮蔽回転部１１０ｂは、第一領収書合流接続本体路８２ａと第一領収書合流接続分岐路８２ｂとの分岐点に配置されている。領収書遮蔽回転部１１０ｂは、領収書遮蔽部１１０ａを端部で回転可能に支持する回転軸である。領収書遮蔽回転部１１０ｂは、領収書切替制御部１２０からの情報を受けて回転し、第一領収書合流接続本体路８２ａを遮蔽する位置、または第一領収書合流接続分岐路８２ｂを遮蔽する位置に領収書遮蔽部１１０ａを移動させて配置する。
【０１１０】
領収書切替制御部１２０は、利用者が利用している左側操作パネル２０または右側操作パネル３０に応じて、利用者が利用している側の左側領収書発行口２１ｂまたは右側領収書発行口３１ｂに領収書を搬送するよう領収書切替部１１０に指示を送る。具体的には、領収書切替制御部１２０は、左側領収書発行ボタン２２または右側領収書発行ボタン３２が利用者によって押されると、利用者によって押された左側領収書発行ボタン２２または右側領収書発行ボタン３２から情報が入力される。また、領収書切替制御部１２０は、主制御部９から通行券を処理した情報や、貨幣を処理した結果情報も入力される。領収書切替制御部１２０は、左側領収書発行ボタン２２または右側領収書発行ボタン３２からの情報と、主制御部９からの情報とに基づいて、利用者が左側操作パネル２０または右側操作パネル３０のどちらから利用されているかを判定する。領収書切替制御部１２０は、判定結果に基づいて、領収書切替部１１０の領収書遮蔽回転部１１０ｂに情報を送る。領収書切替制御部１２０は、左側領収書発行口２１ｂに領収書を送り出す場合には、第一領収書合流接続分岐路８２ｂを領収書遮蔽部１１０ａで遮蔽するように領収書遮蔽回転部１１０ｂに情報を送り、領収書遮蔽回転部１１０ｂを回転させる。逆に、領収書切替制御部１２０は、右側領収書発行口３１ｂに領収書を送り出す場合には、第一領収書合流接続本体路８２ａを領収書遮蔽部１１０ａで遮蔽するように領収書遮蔽回転部１１０ｂに情報を送り、領収書遮蔽回転部１１０ｂを回転させる。
【０１１１】
また、第二実施形態における投入された投入物を処理し、かつ、発行物を発行するための処理をする第一往復搬送処理機構４３０は、左側硬貨投入口２１ｃ及び右側硬貨投入口３１ｃから投入される硬貨を処理して、左側釣銭返却口２１ｄまたは右側釣銭返却口３１ｄに釣銭を払い出す処理を行う第一硬貨処理部５５０を有している。また同様に、第一往復搬送処理機構４３０は、第一硬貨処理部５５０に対応する構成として、左側硬貨投入路６３ａと右側硬貨投入路６３ｂとを合流させる第一硬貨合流接続部８３と、左側釣銭案内路６４ａと右側釣銭案内路６４ｂとを分岐させる第一釣銭合流接続部８４と、を有している。また、第一往復搬送処理機構４３０は、左側釣銭返却口２１ｄまたは右側釣銭返却口３１ｄのどちらに釣銭を払い出すか搬送先を切り替える釣銭切替部１１１と、釣銭切替部１１１に切り替えるよう指示を送る釣銭切替制御部１２１と、を有している。
【０１１２】
第一硬貨処理部５５０は、第一走行レーンＬ１上を通行する車両Ｃに搭乗する利用者によって、左側硬貨投入口２１ｃに投入される硬貨、または、第二走行レーンＬ２上を通行する車両Ｃに搭乗する利用者によって、右側硬貨投入口３１ｃに投入される硬貨を処理する。具体的には、第一硬貨処理部５５０は、異なる金種の硬貨を分類して回収するともに、必要な金額の釣銭を払い出す。第一硬貨処理部５５０は、筐体１の内部において、左側硬貨投入口２１ｃ及び右側硬貨投入口３１ｃよりも鉛直方向下方に配置されている。
【０１１３】
第一硬貨合流接続部８３は、左側硬貨投入路６３ａと右側硬貨投入路６３ｂとを合流させて第一硬貨処理部５５０に硬貨を搬送する。第一硬貨合流接続部８３は、左側硬貨投入路６３ａと第一硬貨処理部５５０とを接続する第一硬貨合流接続本体路８３ａと、第一硬貨合流接続本体路８３ａから分岐して右側硬貨投入路６３ｂまで接続する第一硬貨合流接続分岐路８３ｂとを有している。
【０１１４】
第一硬貨合流接続本体路８３ａは、左側硬貨投入路６３ａと第一硬貨処理部５５０とをまっすぐに接続する。即ち、左側硬貨投入口２１ｃから左側硬貨投入路６３ａ及び第一硬貨合流接続本体路８３ａを介して第一硬貨処理部５５０までは、下方に向かうように形成され、左側硬貨投入口２１ｃから投入された硬貨を自然落下させながら滑り落とすことによって第一硬貨処理部５５０まで搬送する。
【０１１５】
第一硬貨合流接続分岐路８３ｂは、第一硬貨合流接続本体路８３ａから分岐して、右側硬貨投入路６３ｂまで接続する。第一硬貨合流接続分岐路８３ｂは、右側硬貨投入口３１ｃから投入されて自然落下しながら右側硬貨投入路６３ｂを滑り下りてきた硬貨を、硬貨を落下させることなく鉛直方向下方から鉛直方向上方に向かって、第一硬貨処理部５５０の周りを鉛直方向上方に大きく迂回して搬送可能とされている。第一硬貨合流接続分岐路８３ｂは、図示しないモータ等によって回転するベルト等の貨幣運搬部材から構成されているコンベアである。
【０１１６】
第一釣銭合流接続部８４は、左側釣銭案内路６４ａと右側釣銭案内路６４ｂとを分岐させて第一硬貨処理部５５０から払い出させる釣銭を搬送する。第一釣銭合流接続部８４は、第一硬貨処理部５５０から鉛直方向下方に向かって延びて、左側釣銭案内路６４ａ及び右側釣銭案内路６４ｂを下方に向かって傾斜させるように接続している。
【０１１７】
釣銭切替部１１１は、第一硬貨処理部５５０から払い出された釣銭を、左側釣銭返却口２１ｄまたは右側釣銭返却口３１ｄのどちらに搬送するか搬送先を切り替えている。釣銭切替部１１１は、第一釣銭合流接続部８４と左側釣銭案内路６４ａ及び右側釣銭案内路６４ｂとの接続部分に配置されている。具体的には、釣銭切替部１１１は、左側釣銭案内路６４ａ及び右側釣銭案内路６４ｂのいずれか一方を遮る釣銭遮蔽部１１１ａと、釣銭遮蔽部１１１ａを釣銭切替制御部１２１からの情報に基づいて回転させて位置を変更する釣銭遮蔽回転部１１１ｂとを有している。
【０１１８】
釣銭遮蔽部１１１ａは、釣銭遮蔽回転部１１１ｂを中心として回転可能に接続される板材である。釣銭遮蔽部１１１ａは、釣銭遮蔽回転部１１１ｂを中心とし、第一硬貨処理部５５０に向かって延びるように接続されている。釣銭遮蔽部１１１ａは、左側釣銭案内路６４ａまたは右側釣銭案内路６４ｂのいずれかに一方に傾いた状態で、落下してくる硬貨を搬送させないよう搬送路を遮蔽する板材である。
【０１１９】
釣銭遮蔽回転部１１１ｂは、左側釣銭案内路６４ａと右側釣銭案内路６４ｂとの分岐点であって、第一釣銭合流接続部８４の中心線上に配置されている。釣銭遮蔽回転部１１１ｂは、釣銭遮蔽部１１１ａを端部で回転可能に支持する回転軸である。釣銭遮蔽回転部１１１ｂは、釣銭切替制御部１２１からの情報を受けて回転し、左側釣銭案内路６４ａを遮蔽する位置、または右側釣銭案内路６４ｂを遮蔽する位置に釣銭遮蔽部１１１ａを移動させて配置する。
【０１２０】
釣銭切替制御部１２１は、利用者が利用している左側操作パネル２０または右側操作パネル３０に応じて、利用者が利用している側の左側釣銭返却口２１ｄまたは右側釣銭返却口３１ｄに釣銭を払い出すよう釣銭切替部１１１に指示を送る。具体的には、釣銭切替制御部１２１は、左側硬貨投入口２１ｃまたは右側硬貨投入口３１ｃから硬貨が投入されると、左側硬貨検出部Ｓ１０３及び右側硬貨検出部Ｓ１０４から情報が入力される。また、釣銭切替制御部１２１は、左側通行券検出部Ｓ１０１及び右側通行券検出部Ｓ１０２から通行券が挿入された側の情報や、主制御部９から通行券を処理した情報や、貨幣を処理した結果情報も入力される。釣銭切替制御部１２１は、左側硬貨検出部Ｓ１０３及び右側硬貨検出部Ｓ１０４の情報と、左側通行券検出部Ｓ１０１及び右側通行券検出部Ｓ１０２の情報と、主制御部９からの情報とに基づいて、利用者が左側操作パネル２０または右側操作パネル３０のどちらから利用されているかを判定する。釣銭切替制御部１２１は、判定結果に基づいて、釣銭切替部１１１の釣銭遮蔽回転部１１１ｂに情報を送る。釣銭切替制御部１２１は、左側釣銭返却口２１ｄに釣銭を払い出す場合には、右側釣銭案内路６４ｂを釣銭遮蔽部１１１ａで遮蔽するように釣銭遮蔽回転部１１１ｂに情報を送り、釣銭遮蔽回転部１１１ｂを回転させる。逆に、釣銭切替制御部１２１は、右側釣銭返却口３１ｄに釣銭を払い出す場合には、左側釣銭案内路６４ａを釣銭遮蔽部１１１ａで遮蔽するように釣銭遮蔽回転部１１１ｂに情報を送り、釣銭遮蔽回転部１１１ｂを回転させる。
【０１２１】
次に、上記構成の第二実施形態の料金機械である料金自動収受機２００の作用について説明する。
上記のような第二実施形態の料金自動収受機２００においては、第一走行レーンＬ１上を通行する右ハンドルの車両Ｃが筐体１の左面１ａ側の前方に停車し、車両Ｃの運転手等の利用者により、車両Ｃの車種に応じて筐体１の左側操作パネル２０の左側通行券挿入口２１ａに通行券が挿入される。挿入された通行券は、左側通行券搬送路６１ａを搬送されて第一通行券合流接続部８１に進入する。通行券が挿入されると左側通行券挿入口２１ａに設けられた左側通行券検出部Ｓ１０１によって通行券が検出され、主制御部９や釣銭切替制御部１２１に情報が送られる。主制御部９は、第一通行券制御部５１０ｂに対して通行券の読み取り処理を行うよう指示を送る。
【０１２２】
具体的には、左側通行券搬送路６１ａを搬送されてきた通行券は、左側通行券案内部８１ｅの左側遮蔽部８１１ｅを右側通行券挿入口３１ａ側に向かって押す。通行券に押された左側遮蔽部８１１ｅは、左側遮蔽回転部８１２ｅを中心に回転して通行券退避搬送路８１ｃを遮蔽する位置に移動し、第一通行券合流接続本体路８１ａを搬送される通行券の経路を遮蔽する位置から外れる。通行券が、左側通行券案内部８１ｅを通過すると、左側遮蔽部８１１ｅは、左側遮蔽回転部８１２ｅを中心に回転して第一通行券合流接続本体路８１ａを遮蔽する位置に戻る。
【０１２３】
左側通行券案内部８１ｅを通過した通行券は、第一磁気ヘッド部５１０ａにて、磁気情報が読み取られる。第一通行券処理部５１０は、読み取った磁気情報を主制御部９に送る。そして、主制御部９では、送られた磁気情報に基づき、車種、通行距離に応じた料金を計算して、左側料金表示部２３に情報を送る。左側料金表示部２３は、主制御部９で算出した料金を表示させる。
【０１２４】
磁気情報を読み取られた通行券は、第一通行券合流接続本体路８１ａをさらに右側処理口３１側に向かって搬送され、右側通行券案内部８１ｄの右側遮蔽部８１１ｄを右側処理口３１側に向かって押す。通行券に押された右側遮蔽部８１１ｄは、右側遮蔽回転部８１２ｄが回転しないために移動せず、通行券の進行を妨げて、通行券を通行券回収搬送路８１ｂに案内する。通行券回収搬送路８１ｂに案内された通行券は、第一回収箱５１０ｃにて回収される。
【０１２５】
そして、利用者は、この左側料金表示部２３の料金表示に従って、左側硬貨投入口２１ｃ及び左側紙幣挿入口に金銭を投入する。投入された金銭が硬貨の場合、左側硬貨投入口２１ｃから投入された硬貨は、左側硬貨投入路６３ａを滑り落ちるように落下して、第一硬貨合流接続部８３の第一硬貨合流接続本体路８３ａを介して第一硬貨処理部５５０に搬送される。また、左側硬貨投入口２１ｃに硬貨が投入されると、左側硬貨投入口２１ｃに設けられた左側硬貨検出部Ｓ１０３から釣銭切替制御部１２１に情報が送られる。また、釣銭切替制御部１２１には、主制御部９からも通行券を処理した情報や、貨幣を処理した結果情報が入力される。
【０１２６】
料金自動収受機２００では、主制御部９は、第一硬貨処理部５５０に対して投入された硬貨の計数を行うよう指示を送る。そのため、第一硬貨処理部５５０は、投入された硬貨を計数した情報を主制御部９に送る。主制御部９では、送られた情報に基づき、投入金額として左側料金表示部２３に情報を送る。また、主制御部９は、投入金額と先の精算料金との差額に基づき、釣銭がある場合には、その釣銭を払い出すよう第一硬貨処理部５５０に指示を出す。第一硬貨処理部５５０から払い出された釣銭は、第一釣銭合流接続部８４を滑り落ちるように落下し、釣銭切替部１１１まで搬送される。ここで、釣銭切替制御部１２１は左側硬貨投入口２１ｃから硬貨が投入されたとの情報と主制御部９からの情報とから、利用者は左側操作パネル２０を操作していると判定し、釣銭切替部１１１に右側釣銭案内路６４ｂを遮蔽するように情報を送る。釣銭切替部１１１は、釣銭遮蔽回転部１１１ｂを回転させて、右側釣銭案内路６４ｂを遮蔽する位置に釣銭遮蔽部１１１ａを移動させる。そのため、釣銭切替部１１１に搬送された釣銭は、左側釣銭案内路６４ａを滑り落ちるように落下し、左側釣銭返却口２１ｄから利用者に返却される。
【０１２７】
また、利用者が領収書の発行を要求し、左側領収書発行ボタン２２が押されると、主制御部９に情報が入力される。同時に、左側領収書発行ボタン２２から領収書切替制御部１２０にも情報が送られる。また、領収書切替制御部１２０には、主制御部９からも通行券を処理した情報や、貨幣を処理した結果情報が入力される。領収書切替制御部１２０では、左側領収書発行ボタン２２からの情報と、主制御部９からの情報とに基づいて、左側操作パネル２０が利用者によって操作されていると判定して、領収書切替部１１０に第一領収書合流接続分岐路８２ｂを遮蔽するように情報を送る。領収書切替部１１０は、領収書遮蔽回転部１１０ｂを回転させて、第一領収書合流接続分岐路８２ｂを遮蔽する位置に領収書遮蔽部１１０ａを移動させる。
そして、主制御部９は、第一領収書発行処理部５３０に対して領収書を発行するよう指示を送る。そのため、領収書が第一領収書発行処理部５３０から第一領収書合流接続本体路８２ａを搬送されて左側領収書搬送路６２ａを介して左側領収書発行口２１ｂに発行される。
【０１２８】
同様に、第二走行レーンＬ２上を通行する左ハンドルの車両Ｃが、筐体１の右面１ｂの前方に停車し、車両Ｃの運転手等の利用者により、車両Ｃの車種に応じて筐体１の右側操作パネル３０の右側通行券挿入口３１ａに通行券が挿入される。挿入された通行券は、右側通行券搬送路６１ｂを搬送されて第一通行券合流接続部８１に進入する。通行券が挿入されると右側通行券挿入口３１ａに設けられた右側通行券検出部Ｓ１０２によって通行券が検出され、主制御部９や釣銭切替制御部１２１に情報が送られる。主制御部９は、第一通行券制御部５１０ｂに対して通行券の読み取り処理を行うよう指示を送る。
【０１２９】
具体的には、右側通行券搬送路６１ｂを搬送されてきた通行券は、右側通行券案内部８１ｄの右側遮蔽部８１１ｄを左側通行券挿入口２１ａ側に向かって押す。通行券に押された右側遮蔽部８１１ｄは、右側遮蔽回転部８１２ｄを中心に回転して、通行券回収搬送路８１ｂを遮蔽する位置に移動し、第一通行券合流接続本体路８１ａを搬送される通行券の経路を遮蔽する位置から外れる。通行券が右側通行券案内部８１ｄを通過すると、右側遮蔽部８１１ｄは、右側遮蔽回転部８１２ｄを中心に回転して第一通行券合流接続本体路８１ａを遮蔽する位置に戻る。
【０１３０】
右側通行券案内部８１ｄを通過した通行券は、第一磁気ヘッド部５１０ａを通過するが、通過する方向が右側通行券挿入口３１ａ側から左側通行券挿入口２１ａ側に向かう方向であるために、磁気情報は読み取られずに通過する。第一磁気ヘッド部５１０ａを通過した通行券は、左側通行券案内部８１ｅの左側遮蔽部８１１ｅを左側通行券挿入口２１ａに向かって押す。通行券に押された左側遮蔽部８１１ｅは、左側遮蔽回転部８１２ｅが回転しないために移動せず、通行券の進行を妨げて、通行券を通行券退避搬送路８１ｃに案内する。通行券退避搬送路８１ｃに案内された通行券は、通行券退避搬送路８１ｃで突き当り、逆方向である右側通行券挿入口３１ａ側に向かって搬送され、再び第一通行券合流接続本体路８１ａに搬送される。
【０１３１】
再び、第一通行券合流接続本体路８１ａに搬送された通行券は、左側通行券挿入口２１ａ側から右側通行券挿入口３１ａ側に向かう方向に搬送されていることで、第一磁気ヘッド部５１０ａにより、磁気情報が読み取られる。第一通行券処理部５１０は、読み取った磁気情報を主制御部９に送る。そして、主制御部９では、送られた磁気情報に基づき、車種、通行距離に応じた料金を計算して、右側料金表示部３３に情報を送る。右側料金表示部３３は、主制御部９で算出した料金を表示させる。
【０１３２】
磁気情報を読み取られた通行券は、第一通行券合流接続本体路８１ａをさらに右側処理口３１側に向かって搬送され、右側通行券案内部８１ｄの右側遮蔽部８１１ｄを右側処理口３１側に向かって押す。通行券に押された右側遮蔽部８１１ｄは、右側遮蔽回転部８１２ｄが回転しないために移動せず、通行券の進行を妨げて、通行券を通行券回収搬送路８１ｂに案内する。通行券回収搬送路８１ｂに案内された通行券は、第一回収箱５１０ｃにて回収される。
【０１３３】
そして、利用者は、この右側料金表示部３３の料金表示に従って、右側硬貨投入口３１ｃ及び右側紙幣挿入口に金銭を投入する。投入された金銭が硬貨の場合、右側硬貨投入口３１ｃから投入された硬貨は、右側硬貨投入路６３ｂを滑り落ちるように落下して、第一硬貨合流接続部８３の第一硬貨合流接続分岐路８３ｂに搬送される。第一硬貨合流接続分岐路８３ｂによって硬貨は、第一硬貨合流接続本体路８３ａに搬送される。硬貨は、第一硬貨合流接続本体路８３ａを滑り落ちるように落下して、第一硬貨処理部５５０に搬送される。また、右側硬貨投入口３１ｃに硬貨が投入されると、右側硬貨投入口３１ｃに設けられた右側硬貨検出部Ｓ１０４から釣銭切替制御部１２１に情報が送られる。また、釣銭切替制御部１２１には、主制御部９からも通行券を処理した情報や、貨幣を処理した結果情報が入力される。
【０１３４】
その後、左側硬貨投入口２１ｃから投入された硬貨を受け入れた場合と同様に、料金自動収受機２００では、主制御部９は、第一硬貨処理部５５０に対して投入された硬貨の計数を行うよう指示を送る。そのため、第一硬貨処理部５５０は、投入された硬貨を計数した情報を主制御部９に送る。主制御部９では、送られた情報に基づき、投入金額として左側料金表示部２３に情報を送る。また、主制御部９は、投入金額と先の精算料金との差額に基づき、釣銭がある場合には、その釣銭を払い出すよう第一硬貨処理部５５０に指示を出す。第一硬貨処理部５５０から払い出された釣銭は、第一釣銭合流接続部８４を滑り落ちるように落下し、釣銭切替部１１１まで搬送される。ここで、釣銭切替制御部１２１は右側硬貨投入口３１ｃから硬貨が投入されたとの情報と主制御部９からの情報とから、利用者は右側操作パネル３０を操作していると判定し、釣銭切替部１１１に右側釣銭案内路６４ｂを遮蔽するように情報を送る。釣銭切替部１１１は、釣銭遮蔽回転部１１１ｂを回転させて、左側釣銭案内路６４ａを遮蔽する位置に釣銭遮蔽部１１１ａを移動させる。そのため、釣銭切替部１１１に搬送された釣銭は、右側釣銭案内路６４ｂを滑り落ちるように落下し、右側釣銭返却口３１ｄから利用者に返却される。
【０１３５】
また、利用者が領収書の発行を要求し、右側領収書発行ボタン３２が押されると、主制御部９に情報が入力される。同時に、右側領収書発行ボタン３２から領収書切替制御部１２０にも情報が送られる。また、領収書切替制御部１２０には、主制御部９からも通行券を処理した情報や、貨幣を処理した結果情報が入力される。領収書切替制御部１２０では、右側領収書発行ボタン３２からの情報と、主制御部９からの情報とに基づいて、右側操作パネル３０が利用者によって操作されていると判定して、領収書切替部１１０に第一領収書合流接続本体路８２ａを遮蔽するように情報を送る。領収書切替部１１０は、領収書遮蔽回転部１１０ｂを回転させて、第一領収書合流接続本体路８２ａを遮蔽する位置に領収書遮蔽部１１０ａを移動させる。
そして、主制御部９は、第一領収書発行処理部５３０に対して領収書を発行するよう指示を送る。そのため、領収書が第一領収書発行処理部５３０から第一領収書合流接続本体路８２ａ、第一領収書合流接続分岐路８２ｂの順に搬送されて、右側領収書搬送路６２ｂを介して右側領収書発行口３１ｂに発行される。
【０１３６】
上記のような料金機械である料金自動収受機２００によれば、左側通行券搬送路６１ａと右側通行券搬送路６１ｂとを第一通行券合流接続部８１を介して合流させて第一通行券処理口まで接続している。そのため、左側操作パネル２０の左側処理口２１である左側通行券挿入口２１ａと、右側操作パネル３０の右側通行券挿入口３１ａとの異なる処理口から挿入された投入物である通行券を、合流させて搬送することができ、一つの第一通行券処理部５１０によってまとめて処理することができる。
【０１３７】
同様に、投入物である硬貨の場合は、左側硬貨投入口２１ｃと右側硬貨投入口３１ｃとから投入された硬貨を、第一硬貨合流接続部８３を介して合流させて搬送することで、一つの第一硬貨処理部５５０によってまとめて処理することができる。
【０１３８】
また、発行物である領収書や釣銭の場合には、左側領収書発行口２１ｂと右側領収書発行口３１ｂとに発行する領収書を、第一領収書合流接続部８２を介して搬送することで、一つの第一領収書発行処理部５３０によってまとめて処理することができる。
【０１３９】
同様に、左側釣銭返却口２１ｄと右側釣銭返却口３１ｄとに払い出す釣銭を、第一釣銭合流接続部８４を介して搬送することで、一つの第一領収書発行処理部５３０によって処理することができる。
【０１４０】
即ち、左側操作パネル２０の左側処理口２１と右側操作パネル３０の右側処理口３１とから別々に投入される投入物または発行される発行物であっても、同じ処理が必要な投入物または発行物を一つの第一処理部５０で処理できる。したがって、筐体１内で同じ処理をする処理部５をまとめることができ、設置コストをより低減して、管理者の負担を軽減できる。
【０１４１】
また、発行物である領収書を発行する場合に、領収書切替制御部１２０によって、左側領収書発行ボタン２２及び右側領収書発行ボタン３２が押されることにより入力される情報に基づいて、利用者が左側操作パネル２０と右側操作パネル３０とのどちらを利用しているか判定している。そして、判定結果に基づいて、領収書切替部１１０によって搬送先を切り替えることで、一つの処理部５である第一領収書発行処理部５３０からであっても、利用者が利用している側の左側領収書発行口２１ｂまたは右側領収書発行口３１ｂに領収書を発行することができる。
【０１４２】
同様に、釣銭を払い出す場合に、釣銭切替制御部１２１によって、左側硬貨投入口２１ｃ及び右側硬貨投入口３１ｃから硬貨が投入されることにより入力される情報に基づいて、利用者が左側操作パネル２０と右側操作パネル３０とのどちらを利用しているか判定している。そして、判定結果に基づいて、釣銭切替部１１１によって搬送先を切り替えることで、一つの処理部５である第一硬貨処理部５５０であっても、利用者が利用している側の左側釣銭返却口２１ｄまたは右側釣銭返却口３１ｄに釣銭を払い出すことができる。
【０１４３】
即ち、利用者が左側操作パネル２０と右側操作パネル３０のどちらを利用しているかの情報を取得して、利用者が利用している側に発行物を発行することで、左側操作パネル２０及び右側操作パネル３０から受け付けた処理をまとめて、一つの処理部５で行っても、利用者が利用している側の発行物を発行することができる。これにより、処理部５をまとめて設置コストを低減しながら、利用する際の利便性をより向上させることもできる。
【０１４４】
さらに、第一走行レーンＬ１及び第二走行レーンＬ２の二つの走行レーンＬの間のアイランドＩ１上に配置されるため、筐体１の左面１ａに配置される左側操作パネル２０と右面１ｂに配置される右側操作パネル３０とを、アイランドＩ１の幅方向の端部から建築限界である法律で定められた所定の間隔以上内側に配置することとなる。このような料金自動収受機２００では、利用者によって操作パネル２を操作する際の使用性を向上させるために、操作パネル２は、可能な限り利用者に近づけて配置することが好ましい。そのため、操作パネル２は、アイランドＩ１の幅方向の端部から法律で定められた所定の間隔だけ離れた位置に配置される。したがって、第一走行レーンＬ１だけに操作パネル２を設けた筐体１を設置する場合よりも、筐体１自体の大きさが大きくなり、内部に空間を形成できる。これにより、第一通行券合流接続部８１のような合流接続部８や領収書切替部１１０のような切替部１１等を容易に設けることができる。
【０１４５】
また、筐体１の内部にスペースが確保できることで第一領収書合流接続部８２等の合流接続部８の経路をらせん状にひねったり、大きな曲率で曲げたりとするなど設置する際の自由度を向上させることができる。そのため、領収書等の発行物が利用者に対して発行される方向や向きを左側操作パネル２０と右側操作パネル３０を利用した場合で同じにするなど、利用する際の利便性をより向上させることもできる。
【０１４６】
さらに、左側通行券検出部Ｓ１０１、右側通行券検出部Ｓ１０２、左側硬貨検出部Ｓ１０３、右側硬貨検出部Ｓ１０４等の検出部Ｓ１０によって対応する左側処理口２１や右側処理口３１に投入された投入物を検出して、領収書切替部１１０や釣銭切替部１１１に対して発行物の搬送先を切り替えることで、左側操作パネル２０または右側操作パネル３０のうち、利用者が利用している側の操作パネル２に容易に発行物を発行することができる。これにより、処理部５を左側操作パネル２０と右側操作パネル３０とで共通の第一処理部５０としても、利用者に対して的確に発行物を発行することができ、利用する際の利便性を向上させることができる。
【０１４７】
なお、領収書切替制御部１２０や釣銭切替制御部１２１に、入力される情報は実施形態に限定されるものではない。即ち、左側操作パネル２０と右側操作パネル３０とのどちらを利用者が利用しているかが判定できる情報であれば良い。例えば、通行券が挿入された情報や、第一走行レーンＬ１や第二走行レーンＬ２に車両Ｃが進入したことを車種判別装置Ｘによって検出した情報であってもよい。
【０１４８】
また、投入物として通行券を処理する第一投入搬送処理機構４１０は、本実施形態のような構成に限定されるものではない。具体的には、第一投入搬送処理機構４１０は、第一通行券合流接続部８１が通行券退避搬送路８１ｃの代わりに、第一回収箱５１０ｃと接続する通行券回収搬送路８１ｂをさらに備えている。そして、第一投入搬送処理機構４１０は、第一磁気ヘッド部５１０ａがいずれの方向からの磁気情報を読み取り可能となっていてもよい。この場合、第一磁気ヘッド部５１０ａは、右側通行券挿入口３１ａから挿入された通行券に対しては、磁気情報を一度記憶して逆方向から読み直す読み取り制御部を有している。このような構成とすることで、右側通行券挿入口３１ａから挿入された通行券の磁気情報を逆方向から読み込んで回収することができる。そのため、通行券を退避させるなどの搬送時間を軽減できる。これにより、左側操作パネル２０または右側操作パネル３０のどちらを利用者が操作した場合であっても同程度のサービスタイムとすることができ、利用者の利便性が低下することを防止できる。
【０１４９】
さらに、通行券退避搬送路８１ｃは、本実施形態のように第一通行券合流接続本体路８１ａから外れた位置に配置されることに限定されるものではない。即ち、通行券退避搬送路８１ｃは、左側通行券搬送路６１ａが通行券の長さよりも長い場合、左側通行券搬送路６１ａと一体に形成されて第一通行券合流接続本体路８１ａの延長上に配置されていてもよい。このような構成とすることで、第一通行券合流接続本体路８１ａを右側通行券挿入口３１ａ側から左側通行券挿入口２１ａ側に向かって搬送される通行券を、左側通行券搬送路６１ａに退避させることができる。これにより、通行券退避搬送路８１ｃを別構成として新たに設ける必要が無くなり、より簡単な構成で通行券を退避させるための通行券退避搬送路８１ｃを形成することができる。
【０１５０】
また、発行物として領収書を発行する搬送路である第一領収書合流接続部８２は本実施形態のような構成に限定されるものではない。具体的には、第一領収書合流接続部８２は、第一領収書合流接続本体路８２ａから分岐する退避路を有しており、第一領収書発行処理部５３０から発行された領収書をこの退避路に一度搬送してもよい。この場合、第一領収書合流接続部８２は、退避路に搬送した領収書を後端から第一領収書合流接続分岐路８２ｂを介して右側領収書搬送路６２ｂに向かって領収書を搬送する。このような構成とすることで、右側領収書発行口３１ｂから発行される領収書を、印字されている表面を利用者に向けて発行することができる。
【０１５１】
さらに、第一領収書合流接続部８２は、第一領収書合流接続分岐路８２ｂが右側領収書搬送路６２ｂに向かうにしたがって、らせん状をなして１８０度回転する構造とされていてみよい。このような構造とすることで、右側領収書発行口３１ｂから発行される領収書を、左側領収書発行口２１ｂと同じように利用者に対して発行することができる。即ち、右側領収書発行口３１ｂから発行される領収書を、印字されている表面を利用者に向けるだけでなく、前後方向の向きも左側領収書発行口２１ｂから領収書を発行する場合に合わせて発行することができる。
【０１５２】
《第三実施形態》
次に、図４を参照して第三実施形態の料金機械である料金自動収受機３００について説明する。
第三実施形態においては第一実施形態と同様の構成要素には同一の符号を付して詳細な説明を省略する。この第三実施形態の料金自動収受機３００は、鉛直方向の下方に位置する右側操作パネル３０に対して投入された投入物や発行する発行物を、鉛直方向の上方に位置する上段側の左側操作パネル２０に対応する第二処理部５８によって処理する点で、第一実施形態と相違する。
【０１５３】
即ち、第三実施形態の料金機械である料金自動収受機３００は、図４に示すように、鉛直方向の位置が互いに異なるように、筐体１の鉛直方向下方に配置される第一処理ユニット３００ａと鉛直方向上方に配置される第二処理ユニット３００ｂとを備える。また、料金自動収受機３００は、第一実施形態と同様の料金所通行に関する制御処理を行う主制御部９及び電源部７を備えている。なお、主制御部９及び電源部７については、第三実施形態においては図示を省略している。
【０１５４】
第一処理ユニット３００ａは、第一走行レーンＬ１及び第二走行レーンＬ２上を通行する車両Ｃの利用者から料金収受に係る投入物が投入され、または、利用者に対して料金収受に係る発行物を発行する。第一処理ユニット３００ａは、筐体１において鉛直方向下方に配置されている。第一処理ユニット３００ａは、第二実施形態と同様に、操作パネル２として左側操作パネル２０及び右側操作パネル３０と、第一搬送処理機構４００とを有している。また、第一処理ユニット３００ａでは、左側処理口２１を第一左側処理口２１０と、右側処理口３１を第一右側処理口３１０と、左側搬送路６ａを第一左側搬送路６０ａと、右側搬送路６ｂを第一右側搬送路６０ｂと称する。具体的には、左側カード挿入口を第一左側カード挿入口２１０ｄ、右側カード挿入口を第一右側カード挿入口３１０ｄと称する。
【０１５５】
左側操作パネル２０に配置される第一左側処理口２１０である第一左側カード挿入口２１０ｄは、クレジットカードが投入物として利用者によって投入され、かつ、処理が終わったクレジットカードを発行物として利用者に返却する開口部である。第一左側カード挿入口２１０ｄは、筐体１の左面１ａにおいて矩形スリット状をなして開口して形成されている。
また、第一左側カード挿入口２１０ｄには、検出部Ｓ１０として第一左側カード検出部Ｓ１０５が設けられている。
【０１５６】
右側操作パネル３０に配置される第一右側処理口３１０である第一右側カード挿入口３１０ｄは、クレジットカードが投入物として利用者によって投入され、かつ、処理が終わったクレジットカードを発行物として利用者に返却する開口部である。第一右側カード挿入口３１０ｄは、第一左側カード挿入口２１０ｄと同様の形状をなしており、筐体１の右面１ｂにおいて矩形スリット状をなして開口して形成されている。
また、第一右側カード挿入口３１０ｄには、検出部Ｓ１０として第一右側カード検出部Ｓ１０６が設けられている。
【０１５７】
第三実施形態では、第二実施形態と異なり、第一搬送処理機構４００の第一往復搬送処理機構４４０としてクレジットカードを処理する左側カード挿入口と右側カード挿入口とに対応する構成を例に挙げて説明する。
【０１５８】
第三実施形態における投入された投入物を処理し、かつ、発行物を発行するための処理をする第一往復搬送処理機構４４０は、第一左側カード挿入口２１０ｄ及び第一右側カード挿入口３１０ｄから挿入されるクレジットカードを処理して、再び第一左側カード挿入口２１０ｄ及び第一右側カード挿入口３１０ｄから利用客に返却する。第一往復搬送処理機構４４０は、第一左側カード挿入口２１０ｄに接続される第一左側カード搬送路６５ａと、第一右側カード挿入口３１０ｄに接続される第一右側カード搬送路６５ｂと、第一左側カード挿入口２１０ｄ及び第一右側カード挿入口３１０ｄから挿入されたクレジットカードの処理を行う第一カード処理部５７０と、を有している。また、第一往復搬送処理機構４４０は、第一左側カード搬送路６５ａと第一右側カード搬送路６５ｂとを合流させる第一カード合流接続部８５と、第一左側カード挿入口２１０ｄまたは第一右側カード挿入口３１０ｄのどちらに処理の終わったクレジットカードを搬送するか搬送先を切り替えるカード切替部１１２と、カード切替部１１２に切り替えるよう指示を送るカード切替制御部１２２と、を有している。
【０１５９】
第一左側カード搬送路６５ａは、第一左側カード挿入口２１０ｄから挿入されたクレジットカードを水平方向に沿って筐体１の内部に引き込むように移動させて筐体１の奥側まで搬送する。具体的には、第一左側カード搬送路６５ａは、第一左側カード挿入口２１０ｄに接続されている。第一左側カード搬送路６５ａは、内部にクレジットカードが挿通可能なように矩形環状に形成されて、水平方向に延びる第一左側搬送路６０ａである。本実施形態における第一左側カード搬送路６５ａは、図示しないモータ等によって回転方向を切り替えとされている搬送ローラを有している。これにより、第一左側カード搬送路６５ａは、クレジットカードが挿入された場合と、第一左側カード挿入口２１０ｄに送り出す場合とで、搬送方向が切り替え可能とされている。
【０１６０】
第一右側カード搬送路６５ｂは、第一右側カード挿入口３１０ｄから挿入されたクレジットカードを水平方向に沿って筐体１の内部に引き込むように移動させて筐体１の奥側まで搬送する。具体的には、第一右側カード搬送路６５ｂは、第一右側カード挿入口３１０ｄに接続されている。第一右側カード搬送路６５ｂは、内部にクレジットが挿通可能なように矩形環状に形成されて、水平方向に延びる第一右側搬送路６０ｂである。本実施形態における第一右側カード搬送路６５ｂは、第一左側カード搬送路６５ａと同様に搬送方向が切り替え可能な構成をしている。
【０１６１】
第一カード処理部５７０は、第一走行レーンＬ１上を通行する車両Ｃに搭乗する利用者によって、第一左側カード挿入口２１０ｄに挿入されるクレジットカード、または、第二走行レーンＬ２上を通行する車両Ｃに搭乗する利用者によって、第一右側カード挿入口３１０ｄに挿入されるクレジットカードを処理する。第一カード処理部５７０は、挿入されたクレジットカードの磁気情報等のカード情報を読み取って処理を行う。そして、第一カード処理部５７０は、処理が終わったクレジットカードを抜き出して送り出す。
【０１６２】
第一カード合流接続部８５は、第一左側カード搬送路６５ａと第一右側カード搬送路６５ｂとを合流させて第一カード処理部５７０にクレジットカードを搬送する。第一カード合流接続部８５は、第一左側カード搬送路６５ａと第一カード処理部５７０とを接続する第一カード合流接続本体路８５ａと、第一カード合流接続本体路８５ａから分岐して第一右側カード搬送路６５ｂに接続される第一カード合流接続分岐路８５ｂとを有している。また、第一カード合流接続部８５は、第一カード合流接続本体路８５ａに接続されて第一カード合流接続分岐路８５ｂから搬送されてきたクレジットカードを退避させる位置に搬送する第一カード退避搬送路８５ｃを有している。
【０１６３】
第一カード合流接続本体路８５ａは、第一左側カード搬送路６５ａと第一カード処理部５７０とを水平に接続する。本実施形態における第一カード合流接続本体路８５ａは、第一左側カード搬送路６５ａと同様に搬送方向が切り替え可能な構成をしている。
第一カード合流接続分岐路８５ｂは、第一カード合流接続本体路８５ａから鉛直方向上方に第一右側カード挿入口３１０ｄ側に向かって分岐して、第一右側カード搬送路６５ｂに接続される。第一カード合流接続分岐路８５ｂは、筐体１の内部おいて第一カード合流接続本体路８５ａから第一カード処理部５７０の周りを鉛直方向上方に向かって大きく迂回するように形成されている。本実施形態における第一カード合流接続分岐路８５ｂは、第一左側カード搬送路６５ａと同様に搬送方向が切り替え可能な構成をしている。
【０１６４】
第一カード退避搬送路８５ｃは、第一カード合流接続本体路８５ａから鉛直方向下方に第一左側カード挿入口２１０ｄ側に向かって分岐してクレジットカードを第一カード合流接続本体路８５ａから退避させる位置まで搬送する。第一カード退避搬送路８５ｃは、第一カード合流接続本体路８５ａを介して第一カード合流接続分岐路８５ｂの延長上に配置される。第一カード退避搬送路８５ｃは、第一カード合流接続分岐路８５ｂを第一右側カード挿入口３１０ｄ側から第一カード合流接続本体路８５ａに向かって搬送されるクレジットカードを、鉛直方向下方に搬送して、第一カード合流接続本体路８５ａ上から退避させている。本実施形態における第一カード退避搬送路８５ｃは、第一左側カード搬送路６５ａと同様に搬送方向が切り替え可能な構成をしている。
【０１６５】
カード切替部１１２は、搬送されてきたクレジットカードの搬送先を切り替えている。カード切替部１１２は、第一カード合流接続本体路８５ａと、第一カード合流接続分岐路８５ｂと、第一カード退避搬送路８５ｃとの接続部分に配置されている。具体的には、カード切替部１１２は、第一カード合流接続本体路８５ａまたは第一カード合流接続分岐路８５ｂのいずれか一方を遮るカード遮蔽部１１２ａと、カード遮蔽部１１２ａをカード切替制御部１２２からの情報に基づいて回転させて位置を変更するカード遮蔽回転部１１２ｂとを有している。
【０１６６】
カード遮蔽部１１２ａは、カード遮蔽回転部１１２ｂを中心として回転可能に接続される板材である。
カード遮蔽回転部１１２ｂは、第一カード合流接続本体路８５ａと第一カード合流接続分岐路８５ｂとの分岐点の第一左側カード挿入口２１０ｄ側に配置されている。カード遮蔽回転部１１２ｂは、カード遮蔽部１１２ａを端部で回転可能に支持する回転軸である。カード遮蔽回転部１１２ｂは、クレジットカードが通過したか否かを検出するセンサを有している。カード遮蔽回転部１１２ｂは、カード切替制御部１２２からの情報を受けて回転し、第一左側カード搬送路６５ａを遮蔽する位置、または第一カード合流接続分岐路８５ｂを遮蔽する位置にカード遮蔽部１１２ａを移動させて配置する。
【０１６７】
カード切替制御部１２２は、利用者が利用している左側操作パネル２０または右側操作パネル３０に応じて、クレジットカードの搬送先を切り替えるようカード切替部１１２に指示を送る。カード切替制御部１２２は、第一左側カード挿入口２１０ｄまたは第一右側カード挿入口３１０ｄにクレジットカードが挿入されると、対応する第一左側カード検出部Ｓ１０５または第一右側カード検出部Ｓ１０６から情報が入力される。またカード切替制御部１２２は、主制御部９から通行券を処理した情報も入力される。カード切替制御部１２２は、第一左側カード検出部Ｓ１０５または第一右側カード検出部Ｓ１０６からの情報と、主制御部９からの情報とに基づいて、利用者が左側操作パネル２０または右側操作パネル３０のどちらから利用されているかを判定する。また、カード切替制御部１２２は、カード遮蔽回転部１１２ｂのセンサからの情報に基づいて、カード遮蔽回転部１１２ｂが配置されている位置をクレジットカードが通過したか否かも判定する。カード切替制御部１２２は、判定結果に基づいて、カード切替部１１２のカード遮蔽回転部１１２ｂに情報を送る。
【０１６８】
具体的には、カード切替制御部１２２は、第一左側カード挿入口２１０ｄからクレジットカードが挿入されると、第一カード合流接続分岐路８５ｂをカード遮蔽部１１２ａで遮蔽するようにカード遮蔽回転部１１２ｂに情報を送り、カード遮蔽回転部１１２ｂを回転させる。なお、第一左側カード挿入口２１０ｄからクレジットカードが挿入された場合には、カード遮蔽回転部１１２ｂのセンサから情報を受けても、カード切替制御部１２２は、カード遮蔽回転部１１２ｂを回転させない。
【０１６９】
一方、カード切替制御部１２２は、第一右側カード挿入口３１０ｄからクレジットカードが挿入されると、第一左側カード搬送路６５ａをカード遮蔽部１１２ａで遮蔽するようにカード遮蔽回転部１１２ｂに情報を送り、カード遮蔽回転部１１２ｂを回転させる。その後、クレジットカードを通過したことをカード遮蔽回転部１１２ｂのセンサが検出すると、カード切替制御部１２２に情報が送られる。カード切替制御部１２２は、情報を受けると、第一カード合流接続分岐路８５ｂをカード遮蔽部１１２ａで遮蔽するようにカード遮蔽回転部１１２ｂに情報を送り、カード遮蔽回転部１１２ｂを回転させる。さらに、クレジットカードを通過したことをカード遮蔽回転部１１２ｂのセンサが再び検出すると、カード切替制御部１２２に情報が送られる。カード切替制御部１２２は、二度目の情報を受けると、第一左側カード搬送路６５ａをカード遮蔽部１１２ａで遮蔽するようにカード遮蔽回転部１１２ｂに情報を送り、カード遮蔽回転部１１２ｂを回転させる。
【０１７０】
第二処理ユニット３００ｂは、第一走行レーンＬ１上を通行する車両Ｃの利用者から料金収受に係る投入物が投入され、または、利用者に対して料金収受に係る発行物を発行する。第二処理ユニット３００ｂは、筐体１の左面１ａにおいて鉛直方向上方に配置されている。即ち、本実施形態における第二処理ユニット３００ｂは、左側操作パネル２０の鉛直方向上方のみに複数の第二処理口２１１を有している。第二処理ユニット３００ｂは、筐体１の内部で料金収受に関する処理を行う第二搬送処理機構４５０を有している。
【０１７１】
第二処理口２１１は、第一左側処理口２１０や第一右側処理口３１０と同様に、料金自動収受機３００に対して料金収受に係る投入物として金銭や通行券等を受け入れ、または料金収受に係る発行物として通行券や領収書等を発行する。本実施形態では、第二処理口２１１として、第二カード挿入口２１１ｄを例に挙げて説明する。
【０１７２】
第二カード挿入口２１１ｄは、クレジットカードが投入物として利用者によって投入され、かつ、処理が終わったクレジットカードを発行物として利用者に返却する開口部である。第二カード挿入口２１１ｄは、筐体１の左面１ａの鉛直方向上方において矩形スリット状をなして開口して形成されている。
また、第二カード挿入口２１１ｄには、検出部Ｓ１０として第二左側カード検出部Ｓ１０７が設けられている。
【０１７３】
第二搬送処理機構４５０は、第一往復搬送処理機構４４０と同様に、投入された投入物を処理し、かつ、発行物を発行するための処理をする。第二搬送処理機構４５０は、第二処理口２１１から投入された投入物を処理する、または、発行物を発行するための処理をする第二処理部５８と、第二処理口２１１と第二処理部５８との間で投入物や発行物を搬送する第二搬送路６６と、第二搬送路６６と第一右側搬送路６０ｂである第一右側カード搬送路６５ｂとを合流させて第二処理部５８に接続する第二合流接続部８０とを有している。
【０１７４】
本実施形態における第二搬送処理機構４５０は、第二カード挿入口２１１ｄ及び第一右側カード挿入口３１０ｄから挿入されるクレジットカードを処理して、再び第二カード挿入口２１１ｄ及び第一右側カード挿入口３１０ｄから利用者に返却する。第二搬送処理機構４５０は、第二カード挿入口２１１ｄに接続される第二カード搬送路６６ａと、第二カード挿入口２１１ｄ及び第一右側カード挿入口３１０ｄから挿入されたクレジットカードの処理を行う第二カード処理部５８０と、を有している。また、第二搬送処理機構４５０は、第二カード搬送路６６ａと第一右側カード搬送路６５ｂとを合流させる第二カード合流接続部８６を有している。第二搬送処理機構４５０は、第一右側カード挿入口３１０ｄから挿入されたクレジットカードを第一カード処理部５７０または第二カード処理部５８０のどちらに搬送するか搬送先を切り替える投入先切替部１１３と、投入先切替部１１３に切り替えるよう指示を送る投入先制御部１２３と、を有している。第二搬送処理機構４５０は、第二カード処理部５８０で処理が終わって発行されたクレジットカードを第二カード挿入口２１１ｄまたは第一右側カード挿入口３１０ｄのどちらに搬送するか搬送先を切り替える発行先切替部１１４と、発行先切替部１１４に切り替えるよう指示を送る発行先制御部１２４と、を有している。
【０１７５】
第二カード搬送路６６ａは、第二カード挿入口２１１ｄから挿入されたクレジットカードを水平方向に沿って筐体１の内部に引き込むように移動させて筐体１の奥側まで搬送する。具体的には、第二カード搬送路６６ａは、第二カード挿入口２１１ｄに接続されている。第二カード搬送路６６ａは、内部にクレジットカードが挿通可能なように矩形環状に形成されて、水平方向に延びる第二搬送路６６である。本実施形態における第二カード搬送路６６ａは、第一左側カード搬送路６５ａと同様に搬送方向が切り替え可能な構成をしている。
【０１７６】
第二カード処理部５８０は、第一走行レーンＬ１上を通行する車両Ｃに搭乗する利用者によって、第二カード挿入口２１１ｄに挿入されるクレジットカードを処理する第二処理部５８である。第二カード処理部５８０は、第一カード処理部５７０と同様に、挿入されたクレジットカードの磁気情報等のカード情報を読み取って、処理を行う。そして、第二カード処理部５８０は、処理が終わったクレジットカードを抜き出して送り出す。
【０１７７】
第二カード合流接続部８６は、第二カード搬送路６６ａと第一右側カード搬送路６５ｂとを合流させて第二カード処理部５８０にクレジットカードを搬送する第二合流接続部８０である。第二カード合流接続部８６は、第二カード搬送路６６ａと第二カード処理部５８０とを接続する第二カード合流接続本体路８６ａと、第二カード合流接続本体路８６ａから分岐して第一右側カード搬送路６５ｂに接続される第二カード合流接続分岐路８６ｂとを有している。また、第二カード合流接続部８６は、第二カード合流接続本体路８６ａに接続されて第二カード合流接続分岐路８６ｂから搬送されてきたクレジットカードを退避させる位置に搬送する第二カード退避搬送路８６ｃを有している。
【０１７８】
第二カード合流接続本体路８６ａは、第二カード搬送路６６ａと第二カード処理部５８０とを水平に接続する。本実施形態における第二カード合流接続本体路８６ａは、第一左側カード搬送路６５ａと同様に搬送方向が切り替え可能な構成をしている。
第二カード合流接続分岐路８６ｂは、第二カード合流接続本体路８６ａから鉛直方向下方に第一右側カード挿入口３１０ｄ側に向かって分岐して、第一右側カード搬送路６５ｂに接続される。第二カード合流接続分岐路８６ｂは、第一右側カード搬送路６５ｂと第一カード合流接続分岐路８５ｂとの接続部分で、第一右側カード搬送路６５ｂと接続されている。即ち、第一右側カード挿入口３１０ｄから挿入されたクレジットカードは、第一右側カード搬送路６５ｂを搬送された後に、第一カード合流接続分岐路８５ｂまたは第二カード合流接続分岐路８６ｂに搬送可能とされている。第二カード合流接続分岐路８６ｂは、筐体１の内部おいて第二カード合流接続本体路８６ａから第一右側カード搬送路６５ｂに向かって真っすぐ形成されている。本実施形態における第二カード合流接続分岐路８６ｂは、第一左側カード搬送路６５ａと同様に搬送方向が切り替え可能な構成をしている。
【０１７９】
第二カード退避搬送路８６ｃは、第二カード合流接続本体路８６ａから鉛直方向上方に第二カード挿入口２１１ｄ側に向かって分岐してクレジットカードを第二カード合流接続本体路８６ａから退避させる位置まで搬送する。第二カード退避搬送路８６ｃは、第二カード合流接続本体路８６ａを介して第二カード合流接続分岐路８６ｂの延長上に配置される。第二カード退避搬送路８６ｃは、第二カード合流接続分岐路８６ｂを鉛直方向下方から鉛直方向上方に向かって搬送されるクレジットカードを、第二カード合流接続本体路８６ａ上から退避させている。本実施形態における第二カード退避搬送路８６ｃは、第一左側カード搬送路６５ａと同様に搬送方向が切り替え可能な構成をしている。
【０１８０】
投入先切替部１１３は、搬送されてきたクレジットカードの搬送先を切り替えている。投入先切替部１１３は、第二カード合流接続部８６の第二カード合流接続分岐路８６ｂと、第一カード合流接続部８５の第一カード合流接続分岐路８５ｂと、第一右側カード搬送路６５ｂとの接続部分に配置されている。具体的には、投入先切替部１１３は、第二カード合流接続分岐路８６ｂまたは第一カード合流接続分岐路８５ｂのいずれか一方を遮る投入遮蔽部１１３ａと、投入遮蔽部１１３ａを投入先制御部１２３からの情報に基づいて回転させて位置を変更する投入遮蔽回転部１１３ｂとを有している。
【０１８１】
投入遮蔽部１１３ａは、投入遮蔽回転部１１３ｂを中心として回転可能に接続される板材である。
投入遮蔽回転部１１３ｂは、第一右側カード搬送路６５ｂの延長上であって、第二カード合流接続分岐路８６ｂと第一カード合流接続分岐路８５ｂとの分岐点に配置されている。投入遮蔽回転部１１３ｂは、投入遮蔽部１１３ａを端部で回転可能に支持する回転軸である。投入遮蔽回転部１１３ｂは、投入先制御部１２３からの情報を受けて回転し、第二カード合流接続分岐路８６ｂを遮蔽する位置、または第一カード合流接続分岐路８５ｂを遮蔽する位置に投入遮蔽部１１３ａを移動させて配置する。
【０１８２】
投入先制御部１２３は、第一左側カード挿入口２１０ｄにクレジットカードが挿入され、かつ、第一右側カード挿入口３１０ｄにもクレジットカードが挿入される場合に、第一右側カード挿入口３１０ｄから投入されたクレジットカードを、第二カード処理部５８０に搬送するよう投入先切替部１１３に指示を送る。投入先制御部１２３は、第一左側カード挿入口２１０ｄまたは第一右側カード挿入口３１０ｄにクレジットカードが挿入されると、対応する第一左側カード検出部Ｓ１０５または第一右側カード検出部Ｓ１０６から情報が入力される。投入先制御部１２３は、第一左側カード挿入口２１０ｄの第一左側カード検出部Ｓ１０５から情報を入力した状態で、第一右側カード挿入口３１０ｄの第一右側カード検出部Ｓ１０６からも情報が入力されると、第一カード処理部５７０が使用できないと判定する。そして、投入先制御部１２３は、判定結果に基づいて、投入先切替部１１３の投入遮蔽回転部１１３ｂに情報を送る。
【０１８３】
具体的には、投入先制御部１２３は、第一左側カード挿入口２１０ｄのセンサから情報を入力した状態で、第一右側カード挿入口３１０ｄのセンサからも情報が入力されると、第一カード合流接続分岐路８５ｂを投入遮蔽部１１３ａにて遮蔽するように投入遮蔽回転部１１３ｂに情報を送り、投入遮蔽回転部１１３ｂを回転させる。
【０１８４】
発行先切替部１１４は、搬送されてきたクレジットカードの搬送先を切り替えている。発行先切替部１１４は、第二カード合流接続部８６の第二カード合流接続本体路８６ａと、第二カード合流接続分岐路８６ｂと、第二カード退避搬送路８６ｃと、第二カード搬送路６６ａとの接続部分に配置されている。具体的には、発行先切替部１１４は、第二カード搬送路６６ａまたは第二カード合流接続分岐路８６ｂのいずれか一方を遮る発行遮蔽部１１４ａと、発行遮蔽部１１４ａを発行先制御部１２４からの情報に基づいて回転させて位置を変更する発行遮蔽回転部１１４ｂとを有している。
【０１８５】
発行遮蔽部１１４ａは、発行遮蔽回転部１１４ｂを中心として回転可能に接続される板材である。
発行遮蔽回転部１１４ｂは、第二カード搬送路６６ａと第二カード合流接続分岐路８６ｂとの分岐点の第二カード挿入口２１１ｄ側に配置されている。発行遮蔽回転部１１４ｂは、発行遮蔽部１１４ａを端部で回転可能に支持する回転軸である。発行遮蔽回転部１１４ｂは、クレジットカードが通過したか否かを検出するセンサを有している。発行遮蔽回転部１１４ｂは、発行先制御部１２４からの情報を受けて回転し、第二カード搬送路６６ａを遮蔽する位置、または第二カード合流接続分岐路８６ｂを遮蔽する位置に発行遮蔽部１１４ａを移動させて配置する。
【０１８６】
発行先制御部１２４は、利用者が利用している左側操作パネル２０または右側操作パネル３０に応じて、クレジットカードの搬送先を切り替えるよう発行先切替部１１４に指示を送る。発行先制御部１２４は、第二カード挿入口２１１ｄまたは第一右側カード挿入口３１０ｄにクレジットカードが挿入されると、対応する第二左側カード検出部Ｓ１０７または第一右側カード検出部Ｓ１０６から情報が入力される。発行先制御部１２４は、第二左側カード検出部Ｓ１０７または第一右側カード検出部Ｓ１０６からの情報に基づいて、利用者が鉛直方向上方の左側操作パネル２０、または右側操作パネル３０のどちらから利用されているかを判定する。また、発行先制御部１２４は、発行遮蔽回転部１１４ｂのセンサからの情報に基づいて、発行遮蔽回転部１１４ｂが配置されている位置をクレジットカードが通過したか否かも判定する。発行先制御部１２４は、判定結果に基づいて、発行先切替部１１４の発行遮蔽回転部１１４ｂに情報を送る。
【０１８７】
具体的には、発行先制御部１２４は、第二カード挿入口２１１ｄからクレジットカードが挿入されると、第二カード合流接続分岐路８６ｂを発行遮蔽部１１４ａにて遮蔽するように発行遮蔽回転部１１４ｂに情報を送り、発行遮蔽回転部１１４ｂを回転させる。
【０１８８】
一方、発行先制御部１２４は、第一左側カード挿入口２１０ｄからクレジットカードが挿入された上で、第一右側カード挿入口３１０ｄからクレジットカードが挿入されると、第二カード搬送路６６ａを発行遮蔽部１１４ａにて遮蔽するように発行遮蔽回転部１１４ｂに情報を送り、発行遮蔽回転部１１４ｂを回転させる。その後、クレジットカードを通過したことを発行遮蔽回転部１１４ｂのセンサが検出すると、発行先制御部１２４に情報が送られる。発行先制御部１２４は、情報を受けると、第二カード合流接続分岐路８６ｂを発行遮蔽部１１４ａにて遮蔽するように発行遮蔽回転部１１４ｂに情報を送り、発行遮蔽回転部１１４ｂを回転させる。さらに、クレジットカードを通過したことを発行遮蔽回転部１１４ｂのセンサが再び検出すると、発行先制御部１２４に情報が送られる。発行先制御部１２４は、二度目の情報を受けると、第二カード搬送路６６ａを発行遮蔽部１１４ａにて遮蔽するように発行遮蔽回転部１１４ｂに情報を送り、発行遮蔽回転部１１４ｂを回転させる。
なお、第一左側カード挿入口２１０ｄからクレジットカードが挿入されていない状態で、第一右側カード挿入口３１０ｄからクレジットカードが挿入されても、発行先制御部１２４は、発行遮蔽回転部１１４ｂを回転させない。
【０１８９】
次に、上記構成の第三実施形態の料金機械である料金自動収受機３００の作用について説明する。
上記のような第三実施形態の料金自動収受機３００においては、第一走行レーンＬ１上を通行する右ハンドルの車両Ｃが筐体１の左面１ａ側の前方に停車し、車両Ｃの運転手等の利用者により、車両Ｃの車種に応じて筐体１の左側操作パネル２０の左側通行券挿入口２１ａに通行券が挿入される。挿入された通行券は、その通行券の磁気情報を読み取られ、車種、通行距離に応じた料金が算出される。算出された料金を左側料金表示部２３に表示させる。
【０１９０】
そして、利用者が、この左側料金表示部２３の料金表示に従って、クレジットカードにて支払いを行おうとした場合、第一左側カード挿入口２１０ｄにクレジットカードが挿入される。第一左側カード挿入口２１０ｄにクレジットカードが挿入されると、第一左側カード検出部Ｓ１０５からカード切替制御部１２２、投入先制御部１２３、発行先制御部１２４に情報が出力される。第一左側カード検出部Ｓ１０５からの情報を受けたカード切替制御部１２２は、カード遮蔽回転部１１２ｂを回転させて、第一カード合流接続分岐路８５ｂを遮蔽する位置にカード遮蔽部１１２ａを移動させる。投入先制御部１２３や発行先制御部１２４は、第一左側カード挿入口２１０ｄのセンサからの情報のみでは、投入先切替部１１３や発行先切替部１１４には指示を送らない。
【０１９１】
第一左側カード挿入口２１０ｄに挿入されたクレジットカードは、カード遮蔽部１１２ａが第一カード合流接続分岐路８５ｂを遮蔽しているため、第一左側カード搬送路６５ａ、第一カード合流接続本体路８５ａの順に通過し、第一カード処理部５７０に搬送される。第一カード処理部５７０にて処理されたクレジットカードは、第一カード処理部５７０から第一カード合流接続本体路８５ａ、第一左側カード搬送路６５ａの順に通過し、第一左側カード挿入口２１０ｄから利用者に返却される。
【０１９２】
また、第一走行レーンＬ１上を通行する車両Ｃがトラックのような大型車である場合、車両Ｃに搭乗している利用者は、運転席から近い第二処理ユニット３００ｂである鉛直方向上方の左側操作パネル２０の第二カード挿入口２１１ｄにクレジットカードを挿入する。第二カード挿入口２１１ｄにクレジットカードが挿入されると、第二左側カード検出部Ｓ１０７から発行先制御部１２４に情報が出力される。第二左側カード検出部Ｓ１０７のセンサからの情報を受けた発行先制御部１２４は、発行遮蔽回転部１１４ｂを回転させて、第二カード合流接続分岐路８６ｂを遮蔽する位置に発行遮蔽部１１４ａを移動させる。
【０１９３】
第二カード挿入口２１１ｄに挿入されたクレジットカードは、発行遮蔽部１１４ａが第二カード合流接続分岐路８６ｂを遮蔽しているため、第二カード搬送路６６ａ、第二カード合流接続本体路８６ａの順に通過し、第二カード処理部５８０に搬送される。第二カード処理部５８０にて処理されたクレジットカードは、第二カード処理部５８０から第二カード合流接続本体路８６ａ、第二カード搬送路６６ａの順に通過し、第二カード挿入口２１１ｄから利用者に返却される。
【０１９４】
また、第二走行レーンＬ２上を通行する左ハンドルの車両Ｃが、筐体１の右面１ｂの前方に停車し、車両Ｃの運転手等の利用者により、車両Ｃの車種に応じて筐体１の右側操作パネル３０の右側通行券挿入口３１ａに通行券が挿入される。挿入された通行券は、その通行券の磁気情報を読み取られ、車種、通行距離に応じた料金が算出される。算出された料金を右側料金表示部３３に表示させる。
【０１９５】
そして、利用者が、この右側料金表示部３３の料金表示に従って、クレジットカードにて支払いを行おうとした場合、第一右側カード挿入口３１０ｄにクレジットカードが挿入される。第一右側カード挿入口３１０ｄにクレジットカードが挿入されると、第一右側カード検出部Ｓ１０６からカード切替制御部１２２、投入先制御部１２３、発行先制御部１２４に情報が出力される。
【０１９６】
第一右側カード挿入口３１０ｄにクレジットカードが挿入された時に、第一左側カード挿入口２１０ｄにクレジットカードが挿入されていない場合には、カード切替制御部１２２は、カード遮蔽回転部１１２ｂを回転させて、第一左側カード搬送路６５ａを遮蔽する位置にカード遮蔽部１１２ａを移動させる。そして、投入先制御部１２３は、投入遮蔽回転部１１３ｂを回転させて、第二カード合流接続分岐路８６ｂを遮蔽する位置に投入遮蔽部１１３ａを移動させる。発行先制御部１２４は、第一左側カード挿入口２１０ｄのセンサからの情報がない場合には、発行先切替部１１４には指示を送らない。
【０１９７】
第一右側カード挿入口３１０ｄに挿入されたクレジットカードは、投入遮蔽部１１３ａが第二カード合流接続分岐路８６ｂを遮蔽しているため、第一右側カード搬送路６５ｂ、第一カード合流接続分岐路８５ｂの順に通過し、カード切替部１１２まで搬送される。カード切替部１１２では、カード遮蔽部１１２ａが、第一左側カード搬送路６５ａを遮蔽しているため、クレジットカードは第一カード退避搬送路８５ｃに搬送される。クレジットカードがカード切替部１１２を通過することで、カード遮蔽回転部１１２ｂからカード切替制御部１２２に情報が送られる。カード切替制御部１２２は、情報を受けると、カード遮蔽回転部１１２ｂを回転させて、第一カード合流接続分岐路８５ｂを遮蔽する位置にカード遮蔽部１１２ａを移動させる。
【０１９８】
第一カード退避搬送路８５ｃに搬送されたクレジットカードは、第一カード退避搬送路８５ｃで突き当り、逆方向である第一カード合流接続分岐路８５ｂに向かって搬送される。ところが、第一カード合流接続分岐路８５ｂはカード遮蔽部１１２ａによって遮蔽されているため、クレジットカードは、第一カード合流接続本体路８５ａに沿って案内されて、第一カード処理部５７０に搬送される。クレジットカードが再びカード切替部１１２を通過することで、カード遮蔽回転部１１２ｂからカード切替制御部１２２に情報が送られる。カード切替制御部１２２は、二度目の情報を受けると、カード遮蔽回転部１１２ｂを再び回転させて、第一左側カード搬送路６５ａを遮蔽する位置にカード遮蔽部１１２ａを移動させる。
【０１９９】
第一カード処理部５７０にて処理されたクレジットカードは、第一カード処理部５７０から第一左側カード挿入口２１０ｄに向かってを搬送される。ところが、カード遮蔽部１１２ａによって第一左側カード搬送路６５ａが遮蔽されているため、クレジットカードは、第一カード退避搬送路８５ｃに搬送される。第一カード退避搬送路８５ｃに搬送されたクレジットカードは、第一カード退避搬送路８５ｃで突き当り、逆方向である第一カード合流接続分岐路８５ｂに向かって搬送される。その後、クレジットカードは、第一カード合流接続分岐路８５ｂ、第一右側カード搬送路６５ｂの順に通過し、第一右側カード挿入口３１０ｄから利用者に返却される。
【０２００】
次に、第一右側カード挿入口３１０ｄにクレジットカードが挿入された時に、第一左側カード挿入口２１０ｄにもクレジットカードが挿入された場合には、カード切替制御部１２２は、カード遮蔽回転部１１２ｂを回転させて、第一カード合流接続分岐路８５ｂを遮蔽する位置にカード遮蔽部１１２ａを移動させる。そして、投入先制御部１２３は、投入遮蔽回転部１１３ｂを回転させて、第一カード合流接続分岐路８５ｂを遮蔽する位置に投入遮蔽部１１３ａを移動させる。発行先制御部１２４は、発行遮蔽回転部１１４ｂを回転させて、第二カード搬送路６６ａを遮蔽する位置に発行遮蔽部１１４ａを移動させる。
【０２０１】
第一右側カード挿入口３１０ｄに挿入されたクレジットカードは、投入遮蔽部１１３ａが第一カード合流接続分岐路８５ｂを遮蔽しているため、第一右側カード搬送路６５ｂ、第二カード合流接続分岐路８６ｂの順に通過し、発行先切替部１１４まで搬送される。発行先切替部１１４では、発行遮蔽部１１４ａが、第二カード搬送路６６ａを遮蔽しているため、クレジットカードは第二カード退避搬送路８６ｃに搬送される。クレジットカードが発行先切替部１１４を通過することで、発行遮蔽回転部１１４ｂから発行先制御部１２４に情報が送られる。発行先制御部１２４は、情報を受けると、発行遮蔽回転部１１４ｂを回転させて、第二カード合流接続分岐路８６ｂを遮蔽する位置に発行遮蔽部１１４ａを移動させる。
【０２０２】
第二カード退避搬送路８６ｃに搬送されたクレジットカードは、第二カード退避搬送路８６ｃで突き当り、逆方向である第二カード合流接続分岐路８６ｂに向かって搬送される。ところが、第二カード合流接続分岐路８６ｂは発行遮蔽部１１４ａによって遮蔽されているため、クレジットカードは、第二カード合流接続本体路８６ａに沿って案内されて、第二カード処理部５８０に搬送される。クレジットカードが再び発行先切替部１１４を通過することで、発行遮蔽回転部１１４ｂから発行先制御部１２４に情報が送られる。発行先制御部１２４は、二度目の情報を受けると、発行遮蔽回転部１１４ｂを再び回転させて、第二カード搬送路６６ａを遮蔽する位置に発行遮蔽部１１４ａを移動させる。
【０２０３】
第二カード処理部５８０にて処理されたクレジットカードは、第二カード処理部５８０から第二カード挿入口２１１ｄに向かってを搬送される。ところが、発行遮蔽部１１４ａによって第二カード搬送路６６ａが遮蔽されているため、クレジットカードは、第二カード退避搬送路８６ｃに搬送される。第二カード退避搬送路８６ｃに搬送されたクレジットカードは、第二カード退避搬送路８６ｃで突き当り、逆方向である第二カード合流接続分岐路８６ｂに向かって搬送される。その後、クレジットカードは、第二カード合流接続分岐路８６ｂ、第一右側カード搬送路６５ｂの順に通過し、第一右側カード挿入口３１０ｄから利用者に返却される。
【０２０４】
上記のような料金機械である料金自動収受機３００によれば、第一処理ユニット３００ａの第一カード処理部５７０及び第二処理ユニット３００ｂの第二カード処理部５８０を備えており、第一右側カード挿入口３１０ｄに接続されている第一右側カード搬送路６５ｂが第一カード合流接続部８５と第二カード合流接続部８６とによって第一カード処理部５７０及び第二カード処理部５８０に接続されている。したがって、鉛直方向下方に配置された第一右側カード挿入口３１０ｄから挿入されて返却されるクレジットカードを、鉛直方向上方に配置された第二カード処理部５８０で処理することができる。通常、クレジットカード等のカード類のように硬くて一定の大きさを有するために曲げにくい投入物や発行物は、搬送する場合に小さな曲率半径での折り返しが困難なため、搬送するためのスペースを大きく確保して曲率を大きくしたり、直線的にしたりと緩やかな搬送経路を形成する必要がある。その点、鉛直方向下方の第一右側カード挿入口３１０ｄから鉛直方向上方に位置の異なる第二カード処理部５８０までクレジットカードを搬送することで、第二カード合流接続部８６を形成するスペースを大きく確保することが容易にできる。例えば、第二カード合流接続部８６の第二カード合流接続分岐路８６ｂの曲率半径を大きくしたり、緩やかな勾配で傾斜させたりと、搬送されるクレジットカードに負荷をかけない形状で形成することができる。そのため、クレジットカードのように曲げにくい投入物や発行物を確実に搬送することできる。
【０２０５】
また、第一左側カード挿入口２１０ｄ及び第一右側カード挿入口３１０ｄの両方にクレジットカードが挿入された場合に、第一右側カード挿入口３１０ｄから挿入されたクレジットカードの搬送先を、第二カード処理部５８０に切り替えることができる。一般に、左側走行を原則とし、右側ハンドルの車両Ｃを主体とする場所では、第二走行レーンＬ２上を走行する左ハンドルの車両Ｃは、大型車等の車高の高い車種ではなく普通車等の車高の低い車種であることが圧倒的に多い。一方、第一走行レーンＬ１上を走行する右ハンドルの車両Ｃは、大型車等の車高の高い車種及び普通車等の車高の低い車種はどちらも多くなっている。そのため、第一走行レーンＬ１上を走行する右ハンドルの車両Ｃの運転手が利用する左側操作パネル２０が、第一カード処理部５７０及び第二カード処理部５８０のように鉛直方向の位置が異なる上段と下段との二段の構成となっていることで、上段又は下段のいずれか一方は必ず運転手によって利用されていないこととなる。したがって、第一カード処理部５７０及び第二カード処理部５８０のうち、第一走行レーンＬ１上を走行する右ハンドルの車両Ｃの運転手が利用していない側を、第二走行レーンＬ２上を走行する左ハンドルの車両Ｃの運転手を利用することができる。即ち、第一走行レーンＬ１及び第二走行レーンＬ２上に同時に車両Ｃが進入して、左側操作パネル２０と右側操作パネル３０とが同時に操作される場合であっても、利用者を待たせることなく投入物であるクレジットカードを処理することができる。これにより、必要に応じて第一カード処理部５７０と第二カード処理部５８０を使用することができ、料金収受に係る投入物の処理を効率的に行うことができ、利便性をより一層向上させることができる。
なお、右側走行を原則とし、左側ハンドルの車両Ｃを主体とする場所では、逆となり、第二走行レーンＬ２上を走行する左ハンドルの車両Ｃの運転手が利用する右側操作パネル３０が、第一カード処理部５７０及び第二カード処理部５８０のように鉛直方向の位置が異なる上段と下段との二段の構成となっていることで、上段又は下段のいずれか一方は必ず運転手によって利用されていないこととなる。
【０２０６】
加えて、第一走行レーンＬ１上を通行する車両Ｃがいない場合や、第一走行レーンＬ１上を通行している車両Ｃが大型車であって第二処理ユニット３００ｂが使用されている場合や、利用者がクレジットカードにより支払いを行っていない場合など、第一左側カード挿入口２１０ｄにクレジットカードが挿入されない時には、第一右側カード挿入口３１０ｄから挿入されたクレジットカードを第一カード処理部５７０で処理することができる。
【０２０７】
さらに、第一左側カード挿入口２１０ｄ及び第一右側カード挿入口３１０ｄの両方にクレジットカードを返却する場合に、第一左側カード挿入口２１０ｄ及び第一右側カード挿入口３１０ｄのうち、第一カード処理部５７０から発行物としてクレジットカードが発行されていない側の一方に対して、発行先制御部１２４から指示を受けた発行先切替部１１４によって、第二カード処理部５８０からクレジットカードを発行するように発行先を切り替えることができる。具体的には、第一走行レーンＬ１上を走行する右ハンドルの車両Ｃの運転手が利用する左側操作パネル２０が、第一カード処理部５７０及び第二カード処理部５８０のように鉛直方向に位置が異なる上段と下段との二段の構成となっていることで、上段又は下段のいずれか一方は必ず運転手によって利用されていないことになる。したがって、第一カード処理部５７０及び第二カード処理部５８０のうち、第一走行レーンＬ１上を走行する右ハンドルの車両Ｃの運転手が利用していない側を、第二走行レーンＬ２上を走行する左ハンドルの車両Ｃの運転手が利用することができる。即ち、第一走行レーンＬ１及び第二走行レーンＬ２上に同時に車両Ｃが進入して、左側操作パネル２０と右側操作パネル３０とが同時に操作される場合であっても、利用者を待たせることなく発行物であるクレジットカードを処理して発行し、返却することができる。これにより、必要に応じて第一カード処理部５７０と第二カード処理部５８０を使用することができ、料金収受に係る発行物の処理を効率的に行うことができ、利便性をより一層向上させることができる。
【０２０８】
また、第二カード処理部５８０で処理されたクレジットカードを利用者に返却する場合に、第一右側カード挿入口３１０ｄ及び第二カード挿入口２１１ｄからクレジットカードが挿入されることにより検出部Ｓ１０である第一左側カード検出部Ｓ１０５や第一右側カード検出部Ｓ１０６や第二左側カード検出部Ｓ１０７から入力される情報や主制御部９からの情報等に基づいて、利用者が左側操作パネル２０と右側操作パネル３０とのどちらを利用しているか判定することができる。そして、判定結果に基づいて、発行先切替部１１４によって搬送先を切り替えることで、第二カード処理部５８０から、利用者が利用している側の第一右側カード挿入口３１０ｄまたは第二カード挿入口２１１ｄに釣銭を払い出すことができる。
【０２０９】
即ち、利用者が左側操作パネル２０と右側操作パネル３０のどちらを利用しているかの情報を検出部Ｓ１０や主制御部９から取得して、利用者が利用している側にクレジットカードを返却することで、第一処理ユニット３００ａの第一右側カード挿入口３１０ｄから挿入されたクレジットカードを第二処理ユニット３００ｂの第二カード処理部５８０で処理しても、利用者が利用している側に返却することができる。これにより、第二処理ユニット３００ｂを利用しても、利用する際の利便性をより向上させることができる。
【０２１０】
なお、本実施形態のように第一走行レーンＬ１上を走行する右ハンドルの車両Ｃが大型車であり、鉛直方向上方に配置された第二カード処理部５８０が使用された場合に、第一右側カード挿入口３１０ｄから挿入されたクレジットカードを第一カード処理部５７０に向かって搬送する構成に限定されるものではない。即ち、第二カード挿入口２１１ｄから、クレジットカードが挿入されて第二カード処理部５８０が使用されている場合に、第二カード合流接続分岐路８６ｂにクレジットカードを待機させる構造を有して、第二カード処理部５８０が空いた時点で第二カード処理部５８０に向かって搬送させてもよい。このような構成とすることで、クレジットカード等のカード類のように硬くて一定の大きさを有するために曲げにくい投入物や発行物を、鉛直方向下方の第一右側カード挿入口３１０ｄから鉛直方向上方に位置の異なる第二カード処理部５８０に確実に搬送して処理することができる。したがって、投入物や発行物をより一層確実に搬送することができる。
【０２１１】
また、第三実施形態における各搬送処理機構は、第一左側カード挿入口２１０ｄから挿入されたクレジットカードが第一左側カード搬送路６５ａを介して第一カード処理部５７０に直接搬送されたり、第二カード挿入口２１１ｄから挿入されたクレジットカードが第二カード搬送路６６ａを介して第二カード処理部５８０に直接搬送されたりする構成に限定されるものではない。例えば、第一左側カード挿入口２１０ｄから挿入されたクレジットカードを一度退避させる退避路が形成されていたり、第一左側カード挿入口２１０ｄから第二カード処理部５８０に直接搬送する搬送路が形成されていたりしてもよい。同様に、第二カード挿入口２１１ｄから挿入されたクレジットカードを一度退避させる退避路が形成されていたり、第二カード挿入口２１１ｄから第一カード処理部５７０に直接搬送する搬送路が形成されていたりしてもよい。即ち、第一左側カード挿入口２１０ｄ、第一右側カード挿入口３１０ｄ、及び第二カード挿入口２１１ｄの三つの処理口のいずれからクレジットカードが挿入された場合であっても、第一カード処理部５７０及び第二カード処理部５８０の二つの処理部のどちらに対しても搬送可能な構成を有していてもよい。
【０２１２】
以上、本発明の実施形態について図面を参照して詳述したが、各実施形態における各構成及びそれらの組み合わせ等は一例であり、本発明の趣旨から逸脱しない範囲内で、構成の付加、省略、置換、及びその他の変更が可能である。また、本発明は実施形態によって限定されることはなく、特許請求の範囲によってのみ限定される。
【０２１３】
なお、本実施形態における第一走行レーンＬ１及び第二走行レーンＬ２は、通行する車両Ｃが同じ方向に向かって進行することに限定されるものではない。例えば、有料道路の出口と入口とが一体になっている料金所のように、車両Ｃの進行方向が異なっていてもよい。
また、料金機械として本実施形態では料金自動収受機３００としたが、これに限定されるものではない。例えば、有料道路の入口料金所や駐車場に設けられる発券機であってもよい。
【０２１４】
さらに、本実施形態では、通行券、領収書、硬貨、クレジットカード等を処理する場合を例に挙げて説明しているが、これに限定されるものではない。即ち、料金機械において左側処理口２１または右側処理口３１から投入または発行される各種投入物や発行物であってもよい。例えば、紙幣を処理する場合であってもよい。
また、各実施形態における搬送処理機構４は、本実施形態に限定されるものではない。即ち、搬送路６の形状や左側搬送路６ａと右側搬送路６ｂとを合流させる位置、各種処理部を配置する位置等は料金機械が使用される状況に応じて適宜変更されれば良い。
【０２１５】
さらに、各実施形態における搬送処理機構４の組み合わせは本実施形態に限定されるものはなく、料金機械が使用される状況に応じて適宜変更されれば良い。たとえば、領収書を発行する処理部５は左側操作パネル２０と右側操作パネル３０とで独立して設けておき、硬貨を処理する処理部５を左側操作パネル２０と右側操作パネル３０とで共通としてもよい。加えて、第三実施形態の第一処理ユニット３００ａに第二実施形態の構成を有していてもよい。
【符号の説明】
【０２１６】
Ｉ１、Ｉ２、Ｉ３…アイランド  Ｌ…走行レーン  Ｌ１…第一走行レーン  Ｌ２…第二走行レーン  Ｃ…車両  Ｘ…車両判別装置  Ｙ…発進検知器  Ｈ…発進制御機  １００、２００、３００…料金自動収受機  １…筐体  １ａ…左面  １ｂ…右面  ２…操作パネル  ２０…左側操作パネル  ２１…左側処理口  ２１ａ…左側通行券挿入口  ２１ｂ…左側領収書発行口  ２１ｃ…左側硬貨投入口  ２１ｄ…左側釣銭返却口  ２２…左側領収書発行ボタン  ２３…左側料金表示部  ３０…右側操作パネル  ３１…右側処理口  ３１ａ…右側通行券挿入口  ３１ｂ…右側領収書発行口  ３１ｃ…右側硬貨投入口  ３１ｄ…右側釣銭返却口  ３２…右側領収書発行ボタン  ３３…右側料金表示部  ４…搬送処理機構  ５…処理部  ６…搬送路  ６ａ…左側搬送路  ６ｂ…右側搬送路  ４１…投入搬送処理機構  ５１…左側通行券処理部  ５１ａ…磁気ヘッド部  ５１ｂ…通行券制御部  ５１ｃ…回収箱  ５２…右側通行券処理部  ６１ａ…左側通行券搬送路  ６１ｂ…右側通行券搬送路  ４２…発行搬送処理機構  ５３…左側領収書発行処理部  ５４…右側領収書発行処理部  ６２ａ…左側領収書搬送路  ６２ｂ…右側領収書搬送路  ４３…往復搬送処理機構  ５５…左側硬貨処理部  ５６…右側硬貨処理部  ６３ａ…左側硬貨投入路  ６３ｂ…右側硬貨投入路  ６４ａ…左側釣銭案内路  ６４ｂ…右側釣銭案内路  ７…電源部  ９…主制御部  ４００…第一搬送処理機構  Ｓ１０…検出部  Ｓ１０１…左側通行券検出部  Ｓ１０２…右側通行券検出部  Ｓ１０３…左側硬貨検出部  Ｓ１０４…右側硬貨検出部  ５０…第一処理部  ８…合流接続部  １１…切替部  １２…切替制御部  ４１０…第一投入搬送処理機構  ５１０…第一通行券処理部  ５１０ａ…第一磁気ヘッド部  ５１０ｂ…第一通行券制御部  ５１０ｃ…第一回収箱  ８１…第一通行券合流接続部  ８１ａ…第一通行券合流接続本体路  ８１ｂ…通行券回収搬送路  ８１ｃ…通行券退避搬送路  ８１ｄ…右側通行券案内部  ８１１ｄ…右側遮蔽部  ８１２ｄ…右側遮蔽回転部  ８１ｅ…左側通行券案内部  ８１１ｅ…左側遮蔽部  ８１２ｅ…左側遮蔽回転部  ４２０…第一発行搬送処理機構  ５３０…第一領収書発行処理部  ８２…第一領収書合流接続部  ８２ａ…第一領収書合流接続本体路  ８２ｂ…第一領収書合流接続分岐路  １１０…領収書切替部  １１０ａ…領収書遮蔽部  １１０ｂ…領収書遮蔽回転部  １２０…領収書切替制御部  ４３０、４４０…第一往復搬送処理機構  ５５０…第一硬貨処理部  ８３…第一硬貨合流接続部  ８３ａ…第一硬貨合流接続本体路  ８３ｂ…第一硬貨合流接続分岐路  ８４…第一釣銭合流接続部  １１１…釣銭切替部  １１１ａ…釣銭遮蔽部  １１１ｂ…釣銭遮蔽回転部  １２１…釣銭切替制御部  ３００ａ…第一処理ユニット  ２１０…第一左側処理口  ３１０ｄ…第一右側処理口  ２１０ｄ…第一左側カード挿入口  ３１０ｄ…第一右側カード挿入口  ６０ａ…第一左側搬送路  ６０ｂ…第一右側搬送路  ６５ａ…第一左側カード搬送路  ６５ｂ…第一右側カード搬送路  ５７０…第一カード処理部  ８５…第一カード合流接続部  ８５ａ…第一カード合流接続本体路  ８５ｂ…第一カード合流接続分岐路  ８５ｃ…第一カード退避搬送路  １１２…カード切替部  １１２ａ…カード遮蔽部  １１２ｂ…カード��蔽回転部  １２２…カード切替制御部  ３００ｂ…第二処理ユニット  ２１１…第二処理口  ２１１ｄ…第二カード挿入口  ４５０…第二搬送処理機構  ６６…第二搬送路  ６６ａ…第二カード搬送路  ５８…第二処理部  ５８０…第二カード処理部  ８６…第二カード合流接続部  ８６ａ…第二カード合流接続本体路  ８６ｂ…第二カード合流接続分岐路  ８６ｃ…第二カード退避搬送路  １１３…投入先切替部  １１３ａ…投入遮蔽部  １１３ｂ…投入遮蔽回転部  １２３…投入先制御部  １１４…発行先切替部  １１４ａ…発行遮蔽部  １１４ｂ…発行遮蔽回転部  １２４…発行先制御部  Ｓ１０５…第一左側カード検出部  Ｓ１０６…第一右側カード検出部  Ｓ１０７…第二左側カード検出部
【図１】
2015127876.tif 000003
【図２】
2015127876.tif 000004
【図３】
2015127876.tif 000005
【図４】
2015127876.tif 000006